(57)【要約】      （修正有）【課題】導光板の発光面を第１色とは異なる色に光らせる。【解決手段】発光面2a-1,2a-2と、それらに概略直交する入光部2b-1,2b-2とを有する平板状の導光板2-1,2-2と、入光部2b-1,2b-2に対向するＬＥＤ光源1-1,1-2とを具備するＬＥＤ照明装置100において、ＬＥＤ光源1-1から第１色の光を照射し、ＬＥＤ光源1-2から第２色の光を照射し、導光板2-1,2-2の発光面2a-1,2a-2が中心軸線CLG1の側に指向するように、中心軸線CLG1を隔てて導光板2-1,2-2を配置する。【選択図】図１
2013125658.tif 000002
【特許請求の範囲】
【請求項１】
概略長方形の発光面（２ａ−１）と、発光面（２ａ−１）に概略直交する入光部（２ｂ−１）とを有する概略平板状の第１導光板（２−１）と、
第１導光板（２−１）と同様に構成された第２導光板（２−２）と、
第１導光板（２−１）の入光部（２ｂ−１）に対向して配置された第１ＬＥＤ光源（１−１）と、
第２導光板（２−２）の入光部（２ｂ−２）に対向して配置された第２ＬＥＤ光源（１−２）とを具備し、
第１ＬＥＤ光源（１−１）から照射された光が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射し、
第２ＬＥＤ光源（１−２）から照射された光が、第２導光板（２−２）の入光部（２ｂ−２）を介して第２導光板（２−２）に入光し、第２導光板（２−２）によって導光され、第２導光板（２−２）の発光面（２ａ−２）を介して第２導光板（２−２）から出射し、
第１導光板（２−１）の発光面（２ａ−１）からの光によって、第１導光板（２−１）の発光面（２ａ−１）が光って見えるように構成されたＬＥＤ照明装置（１００）において、
第１導光板（２−１）の発光面（２ａ−１）と第２導光板（２−２）の発光面（２ａ−２）とが対向するように、第１導光板（２−１）と第２導光板（２−２）とを配置し、
第１ＬＥＤ光源（１−１）から照射される光の色を第１色に設定し、
第１導光板（２−１）の発光面（２ａ−１）を介して出射した第１ＬＥＤ光源（１−１）からの第１色の光によって、第１導光板（２−１）の発光面（２ａ−１）のうち、第１ＬＥＤ光源（１−１）の側の根元側部分（２ａ１−１）が、第１色に光って見え、
第２ＬＥＤ光源（１−２）から照射される光の色を、第１色とは異なる第２色に設定し、
第２導光板（２−２）の発光面（２ａ−２）を介して出射した第２ＬＥＤ光源（１−２）からの第２色の光の一部分が、第１導光板（２−１）の発光面（２ａ−１）に到達し、
第２導光板（２−２）の発光面（２ａ−２）を介して出射し、第１導光板（２−１）の発光面（２ａ−１）に到達した第２ＬＥＤ光源（１−２）からの第２色の光によって、第１導光板（２−１）の発光面（２ａ−１）のうち、第１ＬＥＤ光源（１−１）の反対側の先端側部分（２ａ２−１）が、第２色に光って見えることを特徴とするＬＥＤ照明装置（１００）。
【請求項２】
第１導光板（２−１）の発光面（２ａ−１）の背面（２ｄ−１）に反射膜（３−１）を設け、
第２導光板（２−２）の発光面（２ａ−２）を介して出射し、第１導光板（２−１）の発光面（２ａ−１）に到達した第２ＬＥＤ光源（１−２）からの第２色の光の一部分が、第１導光板（２−１）の発光面（２ａ−１）によって反射され、
第２導光板（２−２）の発光面（２ａ−２）を介して出射し、第１導光板（２−１）の発光面（２ａ−１）に到達した第２ＬＥＤ光源（１−２）からの第２色の光の他の一部分が、第１導光板（２−１）の発光面（２ａ−１）を透過し、反射膜（３−１）によって反射され、第１導光板（２−１）の発光面（２ａ−１）を介して出射することを特徴とする請求項１に記載のＬＥＤ照明装置（１００）。
【請求項３】
第１導光板（２−１）と同様に構成された第３導光板（２−７）を設け、
反射膜（３−１）を介して、第１導光板（２−１）の発光面（２ａ−１）の背面（２ｄ−１）と、第３導光板（２−７）の発光面の背面とを隣接させ、
第１ＬＥＤ光源（１−１）の光軸が反射膜（３−１）に含まれるように、第１ＬＥＤ光源（１−１）の光軸を第１導光板（２−１）と第３導光板（２−７）との間に配置し、
第１ＬＥＤ光源（１−１）の光の一部分が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射すると共に、第１ＬＥＤ光源（１−１）の光の他の一部分が、第３導光板（２−７）の入光部を介して第３導光板（２−７）に入光し、第３導光板（２−７）によって導光され、第３導光板（２−７）の発光面を介して第３導光板（２−７）から出射することを特徴とする請求項２に記載のＬＥＤ照明装置（１００）。
【請求項４】
概略長方形の発光面（２ａ−１）と、発光面（２ａ−１）に概略直交する入光部（２ｂ−１）とを有する概略平板状の第１導光板（２−１）と、
第１導光板（２−１）と同様に構成された第２導光板（２−２）と、
第１導光板（２−１）の入光部（２ｂ−１）に対向して配置された第１ＬＥＤ光源（１−１）と、
第２導光板（２−２）の入光部（２ｂ−２）に対向して配置された第２ＬＥＤ光源（１−２）とを具備し、
第１ＬＥＤ光源（１−１）から照射された光が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射し、
第２ＬＥＤ光源（１−２）から照射された光が、第２導光板（２−２）の入光部（２ｂ−２）を介して第２導光板（２−２）に入光し、第２導光板（２−２）によって導光され、第２導光板（２−２）の発光面（２ａ−２）を介して第２導光板（２−２）から出射し、
第１導光板（２−１）の発光面（２ａ−１）からの光によって、第１導光板（２−１）の発光面（２ａ−１）が光って見えるように構成されたＬＥＤ照明装置（１００）において、
Ｎ組（Ｎは４以上の偶数）のＬＥＤ光源（１−１，１−２，…，１−Ｎ）および導光板（２−１，２−２，…，２−Ｎ）を設け、
中空の概略正Ｎ角柱形状になるように、かつ、各導光板（２−１，２−２，…，２−Ｎ）の発光面（２ａ−１，２ａ−２，…）が正Ｎ角柱の中心軸線（ＣＬＧ１）の側に指向するように、Ｎ個の導光板（２−１，２−２，…，２−Ｎ）を配置し、
第１ＬＥＤ光源（１−１）から照射される光の色を第１色に設定し、
第１導光板（２−１）の発光面（２ａ−１）を介して出射した第１ＬＥＤ光源（１−１）からの第１色の光によって、第１導光板（２−１）の発光面（２ａ−１）のうち、第１ＬＥＤ光源（１−１）の側の根元側部分（２ａ１−１）が、第１色に光って見え、
正Ｎ角柱の中心軸線（ＣＬＧ１）を隔てて第１導光板（２−１）の反対側に第２導光板（２−２）を配置し、
第２ＬＥＤ光源（１−２）から照射される光の色を、第１色とは異なる第２色に設定し、
第２導光板（２−２）の発光面（２ａ−２）を介して出射した第２ＬＥＤ光源（１−２）からの第２色の光の一部分が、第１導光板（２−１）の発光面（２ａ−１）に到達し、
第２導光板（２−２）の発光面（２ａ−２）を介して出射し、第１導光板（２−１）の発光面（２ａ−１）に到達した第２ＬＥＤ光源（１−２）からの第２色の光によって、第１導光板（２−１）の発光面（２ａ−１）のうち、第１ＬＥＤ光源（１−１）の反対側の先端側部分（２ａ２−１）が、第２色に光って見えることを特徴とするＬＥＤ照明装置（１００）。
【請求項５】
第１導光板（２−１）の発光面（２ａ−１）の背面（２ｄ−１）に反射膜（３−１）を設け、
第２導光板（２−２）の発光面（２ａ−２）を介して出射し、第１導光板（２−１）の発光面（２ａ−１）に到達した第２ＬＥＤ光源（１−２）からの第２色の光の一部分が、第１導光板（２−１）の発光面（２ａ−１）によって反射され、
第２導光板（２−２）の発光面（２ａ−２）を介して出射し、第１導光板（２−１）の発光面（２ａ−１）に到達した第２ＬＥＤ光源（１−２）からの第２色の光の他の一部分が、第１導光板（２−１）の発光面（２ａ−１）を透過し、反射膜（３−１）によって反射され、第１導光板（２−１）の発光面（２ａ−１）を介して出射することを特徴とする請求項４に記載のＬＥＤ照明装置（１００）。
【請求項６】
第１導光板（２−１）と同様に構成された第（Ｎ＋１）導光板（２−（Ｎ＋１））を設け、
反射膜（３−１）を介して、第１導光板（２−１）の発光面（２ａ−１）の背面（２ｄ−１）と、第（Ｎ＋１）導光板（２−（Ｎ＋１））の発光面の背面とを隣接させ、
第１ＬＥＤ光源（１−１）の光軸が反射膜（３−１）に含まれるように、第１ＬＥＤ光源（１−１）の光軸を第１導光板（２−１）と第（Ｎ＋１）導光板（２−（Ｎ＋１））との間に配置し、
第１ＬＥＤ光源（１−１）の光の一部分が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射すると共に、第１ＬＥＤ光源（１−１）の光の他の一部分が、第（Ｎ＋１）導光板（２−（Ｎ＋１））の入光部を介して第（Ｎ＋１）導光板（２−（Ｎ＋１））に入光し、第（Ｎ＋１）導光板（２−（Ｎ＋１））によって導光され、第（Ｎ＋１）導光板（２−（Ｎ＋１））の発光面を介して第（Ｎ＋１）導光板（２−（Ｎ＋１））から出射することを特徴とする請求項５に記載のＬＥＤ照明装置（１００）。
【請求項７】
概略平板状の第１導光板（２−１）からの距離が増加する側に概略平板状の第１導光板（２−１）に対して概略垂直に観察位置を移動させると、第１導光板（２−１）の発光面（２ａ−１）の根元側部分（２ａ１−１）のうち、第１色に光って見えていた部分が、第２色に光って見えるように変化することを特徴とする請求項１〜６のいずれか一項に記載のＬＥＤ照明装置（１００）。
【請求項８】
第１導光板（２−１）の発光面（２ａ−１）を介して出射した第１ＬＥＤ光源（１−１）からの第１色の光と、第２導光板（２−２）の発光面（２ａ−２）を介して出射し、第１導光板（２−１）の発光面（２ａ−１）に到達した第２ＬＥＤ光源（１−２）からの第２色の光とによって、第１導光板（２−１）の発光面（２ａ−１）のうち、根元側部分（２ａ１−１）と先端側部分（２ａ２−１）との間の中間部分（２ａ３−１）が、第１色と第２色との混合色に光って見えることを特徴とする請求項１〜７のいずれか一項に記載のＬＥＤ照明装置（１００）。
【発明の詳細な説明】
【技術分野】
【０００１】
本発明は、概略長方形の発光面と、発光面に概略直交する入光部とを有する概略平板状の第１導光板と、第１導光板と同様に構成された第２導光板と、第１導光板の入光部に対向して配置された第１ＬＥＤ光源と、第２導光板の入光部に対向して配置された第２ＬＥＤ光源とを具備するＬＥＤ照明装置に関する。
【０００２】
特に、本発明は、第１色の光のみが第１ＬＥＤ光源から第１導光板の入光部を介して第１導光板に入光せしめられるにもかかわらず、第１導光板の発光面の一部分が、第１色とは異なる色に光って見えるようにすることができるＬＥＤ照明装置に関する。
【背景技術】
【０００３】
従来から、概略長方形の発光面と、発光面に概略直交する入光部とを有する概略平板状の第１導光板と、第１導光板と同様に構成された第２導光板と、第１導光板の入光部に対向して配置された第１ＬＥＤ光源と、第２導光板の入光部に対向して配置された第２ＬＥＤ光源とを具備するＬＥＤ照明装置が知られている。この種のＬＥＤ照明装置の例としては、例えば特許文献１（特開２０１１−０４０２７９号公報）の図１に記載されたものがある。
【０００４】
特許文献１の図１に記載されたＬＥＤ照明装置では、第１ＬＥＤ光源から照射された光が、第１導光板の入光部を介して第１導光板に入光し、第１導光板によって導光され、第１導光板の発光面を介して第１導光板から出射する。そのため、特許文献１の図１に記載されたＬＥＤ照明装置では、第１導光板の発光面からの光によって、第１導光板の発光面が光って見える。
【０００５】
同様に、特許文献１の図１に記載されたＬＥＤ照明装置では、第２ＬＥＤ光源から照射された光が、第２導光板の入光部を介して第２導光板に入光し、第２導光板によって導光され、第２導光板の発光面を介して第２導光板から出射する。そのため、特許文献１の図１に記載されたＬＥＤ照明装置では、第２導光板の発光面からの光によって、第２導光板の発光面が光って見える。
【先行技術文献】
【特許文献】
【０００６】
【特許文献１】特開２０１１−０４０２７９号公報
【発明の概要】
【発明が解決しようとする課題】
【０００７】
ところで、特許文献１の図１に記載されたＬＥＤ照明装置では、第２導光板の発光面を介して出射した第２ＬＥＤ光源からの光が、第１導光板の発光面に到達せず、また、第１導光板の発光面を介して出射した第１ＬＥＤ光源からの光が、第２導光板の発光面に到達しない。そのため、特許文献１の図１に記載されたＬＥＤ照明装置では、仮に第１ＬＥＤ光源から照射される光の色を第１色に設定すると共に、第２ＬＥＤ光源から照射される光の色を、第１色とは異なる第２色に設定すると、第１導光板の発光面が第１色に光って見えると共に、第２導光板の発光面が第２色に光って見える。
【０００８】
つまり、特許文献１の図１に記載されたＬＥＤ照明装置では、仮に第１ＬＥＤ光源から照射される光の色を第１色に設定すると共に、第２ＬＥＤ光源から照射される光の色を、第１色とは異なる第２色に設定した場合であっても、第１導光板の発光面が第１色に光って見えるようにすることしかできず、第１導光板の発光面が第１色とは異なる色に光って見えるようにすることができない。
【０００９】
前記問題点に鑑み、本発明は、第１色の光のみが第１ＬＥＤ光源から第１導光板の入光部を介して第１導光板に入光せしめられるにもかかわらず、第１導光板の発光面の一部分が、第１色とは異なる色に光って見えるようにすることができるＬＥＤ照明装置を提供することを目的とする。
【課題を解決するための手段】
【００１０】
請求項１に記載の発明によれば、概略長方形の発光面（２ａ−１）と、発光面（２ａ−１）に概略直交する入光部（２ｂ−１）とを有する概略平板状の第１導光板（２−１）と、
第１導光板（２−１）と同様に構成された第２導光板（２−２）と、
第１導光板（２−１）の入光部（２ｂ−１）に対向して配置された第１ＬＥＤ光源（１−１）と、
第２導光板（２−２）の入光部（２ｂ−２）に対向して配置された第２ＬＥＤ光源（１−２）とを具備し、
第１ＬＥＤ光源（１−１）から照射された光が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射し、
第２ＬＥＤ光源（１−２）から照射された光が、第２導光板（２−２）の入光部（２ｂ−２）を介して第２導光板（２−２）に入光し、第２導光板（２−２）によって導光され、第２導光板（２−２）の発光面（２ａ−２）を介して第２導光板（２−２）から出射し、
第１導光板（２−１）の発光面（２ａ−１）からの光によって、第１導光板（２−１）の発光面（２ａ−１）が光って見えるように構成されたＬＥＤ照明装置（１００）において、
第１導光板（２−１）の発光面（２ａ−１）と第２導光板（２−２）の発光面（２ａ−２）とが対向するように、第１導光板（２−１）と第２導光板（２−２）とを配置し、
第１ＬＥＤ光源（１−１）から照射される光の色を第１色に設定し、
第１導光板（２−１）の発光面（２ａ−１）を介して出射した第１ＬＥＤ光源（１−１）からの第１色の光によって、第１導光板（２−１）の発光面（２ａ−１）のうち、第１ＬＥＤ光源（１−１）の側の根元側部分（２ａ１−１）が、第１色に光って見え、
第２ＬＥＤ光源（１−２）から照射される光の色を、第１色とは異なる第２色に設定し、
第２導光板（２−２）の発光面（２ａ−２）を介して出射した第２ＬＥＤ光源（１−２）からの第２色の光の一部分が、第１導光板（２−１）の発光面（２ａ−１）に到達し、
第２導光板（２−２）の発光面（２ａ−２）を介して出射し、第１導光板（２−１）の発光面（２ａ−１）に到達した第２ＬＥＤ光源（１−２）からの第２色の光によって、第１導光板（２−１）の発光面（２ａ−１）のうち、第１ＬＥＤ光源（１−１）の反対側の先端側部分（２ａ２−１）が、第２色に光って見えることを特徴とするＬＥＤ照明装置（１００）が提供される。
【００１１】
請求項２に記載の発明によれば、第１導光板（２−１）の発光面（２ａ−１）の背面（２ｄ−１）に反射膜（３−１）を設け、
第２導光板（２−２）の発光面（２ａ−２）を介して出射し、第１導光板（２−１）の発光面（２ａ−１）に到達した第２ＬＥＤ光源（１−２）からの第２色の光の一部分が、第１導光板（２−１）の発光面（２ａ−１）によって反射され、
第２導光板（２−２）の発光面（２ａ−２）を介して出射し、第１導光板（２−１）の発光面（２ａ−１）に到達した第２ＬＥＤ光源（１−２）からの第２色の光の他の一部分が、第１導光板（２−１）の発光面（２ａ−１）を透過し、反射膜（３−１）によって反射され、第１導光板（２−１）の発光面（２ａ−１）を介して出射することを特徴とする請求項１に記載のＬＥＤ照明装置（１００）が提供される。
【００１２】
請求項３に記載の発明によれば、第１導光板（２−１）と同様に構成された第３導光板（２−７）を設け、
反射膜（３−１）を介して、第１導光板（２−１）の発光面（２ａ−１）の背面（２ｄ−１）と、第３導光板（２−７）の発光面の背面とを隣接させ、
第１ＬＥＤ光源（１−１）の光軸が反射膜（３−１）に含まれるように、第１ＬＥＤ光源（１−１）の光軸を第１導光板（２−１）と第３導光板（２−７）との間に配置し、
第１ＬＥＤ光源（１−１）の光の一部分が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射すると共に、第１ＬＥＤ光源（１−１）の光の他の一部分が、第３導光板（２−７）の入光部を介して第３導光板（２−７）に入光し、第３導光板（２−７）によって導光され、第３導光板（２−７）の発光面を介して第３導光板（２−７）から出射することを特徴とする請求項２に記載のＬＥＤ照明装置（１００）が提供される。
【００１３】
請求項４に記載の発明によれば、概略長方形の発光面（２ａ−１）と、発光面（２ａ−１）に概略直交する入光部（２ｂ−１）とを有する概略平板状の第１導光板（２−１）と、
第１導光板（２−１）と同様に構成された第２導光板（２−２）と、
第１導光板（２−１）の入光部（２ｂ−１）に対向して配置された第１ＬＥＤ光源（１−１）と、
第２導光板（２−２）の入光部（２ｂ−２）に対向して配置された第２ＬＥＤ光源（１−２）とを具備し、
第１ＬＥＤ光源（１−１）から照射された光が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射し、
第２ＬＥＤ光源（１−２）から照射された光が、第２導光板（２−２）の入光部（２ｂ−２）を介して第２導光板（２−２）に入光し、第２導光板（２−２）によって導光され、第２導光板（２−２）の発光面（２ａ−２）を介して第２導光板（２−２）から出射し、
第１導光板（２−１）の発光面（２ａ−１）からの光によって、第１導光板（２−１）の発光面（２ａ−１）が光って見えるように構成されたＬＥＤ照明装置（１００）において、
Ｎ組（Ｎは４以上の偶数）のＬＥＤ光源（１−１，１−２，…，１−Ｎ）および導光板（２−１，２−２，…，２−Ｎ）を設け、
中空の概略正Ｎ角柱形状になるように、かつ、各導光板（２−１，２−２，…，２−Ｎ）の発光面（２ａ−１，２ａ−２，…）が正Ｎ角柱の中心軸線（ＣＬＧ１）の側に指向するように、Ｎ個の導光板（２−１，２−２，…，２−Ｎ）を配置し、
第１ＬＥＤ光源（１−１）から照射される光の色を第１色に設定し、
第１導光板（２−１）の発光面（２ａ−１）を介して出射した第１ＬＥＤ光源（１−１）からの第１色の光によって、第１導光板（２−１）の発光面（２ａ−１）のうち、第１ＬＥＤ光源（１−１）の側の根元側部分（２ａ１−１）が、第１色に光って見え、
正Ｎ角柱の中心軸線（ＣＬＧ１）を隔てて第１導光板（２−１）の反対側に第２導光板（２−２）を配置し、
第２ＬＥＤ光源（１−２）から照射される光の色を、第１色とは異なる第２色に設定し、
第２導光板（２−２）の発光面（２ａ−２）を介して出射した第２ＬＥＤ光源（１−２）からの第２色の光の一部分が、第１導光板（２−１）の発光面（２ａ−１）に到達し、
第２導光板（２−２）の発光面（２ａ−２）を介して出射し、第１導光板（２−１）の発光面（２ａ−１）に到達した第２ＬＥＤ光源（１−２）からの第２色の光によって、第１導光板（２−１）の発光面（２ａ−１）のうち、第１ＬＥＤ光源（１−１）の反対側の先端側部分（２ａ２−１）が、第２色に光って見えることを特徴とするＬＥＤ照明装置（１００）が提供される。
【００１４】
請求項５に記載の発明によれば、第１導光板（２−１）の発光面（２ａ−１）の背面（２ｄ−１）に反射膜（３−１）を設け、
第２導光板（２−２）の発光面（２ａ−２）を介して出射し、第１導光板（２−１）の発光面（２ａ−１）に到達した第２ＬＥＤ光源（１−２）からの第２色の光の一部分が、第１導光板（２−１）の発光面（２ａ−１）によって反射され、
第２導光板（２−２）の発光面（２ａ−２）を介して出射し、第１導光板（２−１）の発光面（２ａ−１）に到達した第２ＬＥＤ光源（１−２）からの第２色の光の他の一部分が、第１導光板（２−１）の発光面（２ａ−１）を透過し、反射膜（３−１）によって反射され、第１導光板（２−１）の発光面（２ａ−１）を介して出射することを特徴とする請求項４に記載のＬＥＤ照明装置（１００）が提供される。
【００１５】
請求項６に記載の発明によれば、第１導光板（２−１）と同様に構成された第（Ｎ＋１）導光板（２−（Ｎ＋１））を設け、
反射膜（３−１）を介して、第１導光板（２−１）の発光面（２ａ−１）の背面（２ｄ−１）と、第（Ｎ＋１）導光板（２−（Ｎ＋１））の発光面の背面とを隣接させ、
第１ＬＥＤ光源（１−１）の光軸が反射膜（３−１）に含まれるように、第１ＬＥＤ光源（１−１）の光軸を第１導光板（２−１）と第（Ｎ＋１）導光板（２−（Ｎ＋１））との間に配置し、
第１ＬＥＤ光源（１−１）の光の一部分が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射すると共に、第１ＬＥＤ光源（１−１）の光の他の一部分が、第（Ｎ＋１）導光板（２−（Ｎ＋１））の入光部を介して第（Ｎ＋１）導光板（２−（Ｎ＋１））に入光し、第（Ｎ＋１）導光板（２−（Ｎ＋１））によって導光され、第（Ｎ＋１）導光板（２−（Ｎ＋１））の発光面を介して第（Ｎ＋１）導光板（２−（Ｎ＋１））から出射することを特徴とする請求項５に記載のＬＥＤ照明装置（１００）が提供される。
【００１６】
請求項７に記載の発明によれば、概略平板状の第１導光板（２−１）からの距離が増加する側に概略平板状の第１導光板（２−１）に対して概略垂直に観察位置を移動させると、第１導光板（２−１）の発光面（２ａ−１）の根元側部分（２ａ１−１）のうち、第１色に光って見えていた部分が、第２色に光って見えるように変化することを特徴とする請求項１〜６のいずれか一項に記載のＬＥＤ照明装置（１００）が提供される。
【００１７】
請求項８に記載の発明によれば、第１導光板（２−１）の発光面（２ａ−１）を介して出射した第１ＬＥＤ光源（１−１）からの第１色の光と、第２導光板（２−２）の発光面（２ａ−２）を介して出射し、第１導光板（２−１）の発光面（２ａ−１）に到達した第２ＬＥＤ光源（１−２）からの第２色の光とによって、第１導光板（２−１）の発光面（２ａ−１）のうち、根元側部分（２ａ１−１）と先端側部分（２ａ２−１）との間の中間部分（２ａ３−１）が、第１色と第２色との混合色に光って見えることを特徴とする請求項１〜７のいずれか一項に記載のＬＥＤ照明装置（１００）が提供される。
【発明の効果】
【００１８】
請求項１に記載のＬＥＤ照明装置（１００）では、概略長方形の発光面（２ａ−１）と、発光面（２ａ−１）に概略直交する入光部（２ｂ−１）とを有する概略平板状の第１導光板（２−１）が設けられている。また、第１導光板（２−１）と同様に構成された第２導光板（２−２）が設けられている。更に、第１導光板（２−１）の入光部（２ｂ−１）に対向して配置された第１ＬＥＤ光源（１−１）が設けられている。また、第２導光板（２−２）の入光部（２ｂ−２）に対向して配置された第２ＬＥＤ光源（１−２）が設けられている。
【００１９】
更に、請求項１に記載のＬＥＤ照明装置（１００）では、第１ＬＥＤ光源（１−１）から照射された光が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射する。その結果、請求項１に記載のＬＥＤ照明装置（１００）では、第１導光板（２−１）の発光面（２ａ−１）からの光によって、第１導光板（２−１）の発光面（２ａ−１）が光って見える。
【００２０】
同様に、請求項１に記載のＬＥＤ照明装置（１００）では、第２ＬＥＤ光源（１−２）から照射された光が、第２導光板（２−２）の入光部（２ｂ−２）を介して第２導光板（２−２）に入光し、第２導光板（２−２）によって導光され、第２導光板（２−２）の発光面（２ａ−２）を介して第２導光板（２−２）から出射する。
【００２１】
詳細には、請求項１に記載のＬＥＤ照明装置（１００）では、第１導光板（２−１）の発光面（２ａ−１）と第２導光板（２−２）の発光面（２ａ−２）とが対向するように、第１導光板（２−１）と第２導光板（２−２）とが配置されている。
【００２２】
また、請求項１に記載のＬＥＤ照明装置（１００）では、第１ＬＥＤ光源（１−１）から照射される光の色が第１色に設定されている。更に、第１導光板（２−１）の発光面（２ａ−１）を介して出射した第１ＬＥＤ光源（１−１）からの第１色の光によって、第１導光板（２−１）の発光面（２ａ−１）のうち、第１ＬＥＤ光源（１−１）の側の根元側部分（２ａ１−１）が、第１色に光って見える。
【００２３】
更に、請求項１に記載のＬＥＤ照明装置（１００）では、第２ＬＥＤ光源（１−２）から照射される光の色が、第１色とは異なる第２色に設定されている。また、第２導光板（２−２）の発光面（２ａ−２）を介して出射した第２ＬＥＤ光源（１−２）からの第２色の光の一部分が、第１導光板（２−１）の発光面（２ａ−１）に到達する。その結果、請求項１に記載のＬＥＤ照明装置（１００）では、第２導光板（２−２）の発光面（２ａ−２）を介して出射し、第１導光板（２−１）の発光面（２ａ−１）に到達した第２ＬＥＤ光源（１−２）からの第２色の光によって、第１導光板（２−１）の発光面（２ａ−１）のうち、第１ＬＥＤ光源（１−１）の反対側の先端側部分（２ａ２−１）が、第２色に光って見える。
【００２４】
換言すれば、請求項１に記載のＬＥＤ照明装置（１００）によれば、第１色の光のみが第１ＬＥＤ光源（１−１）から第１導光板（２−１）の入光部（２ｂ−１）を介して第１導光板（２−１）に入光せしめられるにもかかわらず、第１導光板（２−１）の発光面（２ａ−１）の一部分が、第１色とは異なる色に光って見えるようにすることができる。
【００２５】
請求項２に記載のＬＥＤ照明装置（１００）では、第１導光板（２−１）の発光面（２ａ−１）の背面（２ｄ−１）に反射膜（３−１）が設けられている。その結果、請求項２に記載のＬＥＤ照明装置（１００）では、第２導光板（２−２）の発光面（２ａ−２）を介して出射し、第１導光板（２−１）の発光面（２ａ−１）に到達した第２ＬＥＤ光源（１−２）からの第２色の光の一部分が、第１導光板（２−１）の発光面（２ａ−１）によって反射される。更に、第２導光板（２−２）の発光面（２ａ−２）を介して出射し、第１導光板（２−１）の発光面（２ａ−１）に到達した第２ＬＥＤ光源（１−２）からの第２色の光の他の一部分が、第１導光板（２−１）の発光面（２ａ−１）を透過し、反射膜（３−１）によって反射され、第１導光板（２−１）の発光面（２ａ−１）を介して出射する。
【００２６】
そのため、請求項２に記載のＬＥＤ照明装置（１００）によれば、反射膜（３−１）が設けられていない場合よりも、第１導光板（２−１）の発光面（２ａ−１）の先端側部分（２ａ２−１）が明るく光って見えるようにすることができる。
【００２７】
請求項３に記載のＬＥＤ照明装置（１００）では、第１導光板（２−１）と同様に構成された第３導光板（２−７）が設けられている。また、反射膜（３−１）を介して、第１導光板（２−１）の発光面（２ａ−１）の背面（２ｄ−１）と、第３導光板（２−７）の発光面の背面とが隣接せしめられている。更に、第１ＬＥＤ光源（１−１）の光軸が反射膜（３−１）に含まれるように、第１ＬＥＤ光源（１−１）の光軸が第１導光板（２−１）と第３導光板（２−７）との間に配置されている。
【００２８】
その結果、請求項３に記載のＬＥＤ照明装置（１００）では、第１ＬＥＤ光源（１−１）の光の一部分が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射する。更に、第１ＬＥＤ光源（１−１）の光の他の一部分が、第３導光板（２−７）の入光部を介して第３導光板（２−７）に入光し、第３導光板（２−７）によって導光され、第３導光板（２−７）の発光面を介して第３導光板（２−７）から出射する。
【００２９】
そのため、請求項３に記載のＬＥＤ照明装置（１００）によれば、第１導光板（２−１）および第３導光板（２−７）のそれぞれに対してＬＥＤ光源が設けられる場合よりも、ＬＥＤ光源の数を削減することができる。つまり、請求項３に記載のＬＥＤ照明装置（１００）によれば、ＬＥＤ光源の数を抑制しつつ、導光板の発光面の数を増加させることができる。
【００３０】
請求項４に記載のＬＥＤ照明装置（１００）では、概略長方形の発光面（２ａ−１）と、発光面（２ａ−１）に概略直交する入光部（２ｂ−１）とを有する概略平板状の第１導光板（２−１）が設けられている。また、第１導光板（２−１）と同様に構成された第２導光板（２−２）が設けられている。更に、第１導光板（２−１）の入光部（２ｂ−１）に対向して配置された第１ＬＥＤ光源（１−１）が設けられている。また、第２導光板（２−２）の入光部（２ｂ−２）に対向して配置された第２ＬＥＤ光源（１−２）が設けられている。
【００３１】
更に、請求項４に記載のＬＥＤ照明装置（１００）では、第１ＬＥＤ光源（１−１）から照射された光が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射する。その結果、請求項４に記載のＬＥＤ照明装置（１００）では、第１導光板（２−１）の発光面（２ａ−１）からの光によって、第１導光板（２−１）の発光面（２ａ−１）が光って見える。
【００３２】
同様に、請求項４に記載のＬＥＤ照明装置（１００）では、第２ＬＥＤ光源（１−２）から照射された光が、第２導光板（２−２）の入光部（２ｂ−２）を介して第２導光板（２−２）に入光し、第２導光板（２−２）によって導光され、第２導光板（２−２）の発光面（２ａ−２）を介して第２導光板（２−２）から出射する。
【００３３】
詳細には、請求項４に記載のＬＥＤ照明装置（１００）では、Ｎ組（Ｎは４以上の偶数）のＬＥＤ光源（１−１，１−２，…，１−Ｎ）および導光板（２−１，２−２，…，２−Ｎ）が設けられている。また、中空の概略正Ｎ角柱形状になるように、かつ、各導光板（２−１，２−２，…，２−Ｎ）の発光面（２ａ−１，２ａ−２，…）が正Ｎ角柱の中心軸線（ＣＬＧ１）の側に指向するように、Ｎ個の導光板（２−１，２−２，…，２−Ｎ）が配置されている。
【００３４】
また、請求項４に記載のＬＥＤ照明装置（１００）では、第１ＬＥＤ光源（１−１）から照射される光の色が第１色に設定されている。更に、第１導光板（２−１）の発光面（２ａ−１）を介して出射した第１ＬＥＤ光源（１−１）からの第１色の光によって、第１導光板（２−１）の発光面（２ａ−１）のうち、第１ＬＥＤ光源（１−１）の側の根元側部分（２ａ１−１）が、第１色に光って見える。また、正Ｎ角柱の中心軸線（ＣＬＧ１）を隔てて第１導光板（２−１）の反対側に第２導光板（２−２）が配置されている。
【００３５】
更に、請求項４に記載のＬＥＤ照明装置（１００）では、第２ＬＥＤ光源（１−２）から照射される光の色が、第１色とは異なる第２色に設定されている。また、第２導光板（２−２）の発光面（２ａ−２）を介して出射した第２ＬＥＤ光源（１−２）からの第２色の光の一部分が、第１導光板（２−１）の発光面（２ａ−１）に到達する。その結果、請求項４に記載のＬＥＤ照明装置（１００）では、第２導光板（２−２）の発光面（２ａ−２）を介して出射し、第１導光板（２−１）の発光面（２ａ−１）に到達した第２ＬＥＤ光源（１−２）からの第２色の光によって、第１導光板（２−１）の発光面（２ａ−１）のうち、第１ＬＥＤ光源（１−１）の反対側の先端側部分（２ａ２−１）が、第２色に光って見える。
【００３６】
換言すれば、請求項４に記載のＬＥＤ照明装置（１００）によれば、第１色の光のみが第１ＬＥＤ光源（１−１）から第１導光板（２−１）の入光部（２ｂ−１）を介して第１導光板（２−１）に入光せしめられるにもかかわらず、第１導光板（２−１）の発光面（２ａ−１）の一部分が、第１色とは異なる色に光って見えるようにすることができる。
【００３７】
請求項５に記載のＬＥＤ照明装置（１００）では、第１導光板（２−１）の発光面（２ａ−１）の背面（２ｄ−１）に反射膜（３−１）が設けられている。その結果、請求項５に記載のＬＥＤ照明装置（１００）では、第２導光板（２−２）の発光面（２ａ−２）を介して出射し、第１導光板（２−１）の発光面（２ａ−１）に到達した第２ＬＥＤ光源（１−２）からの第２色の光の一部分が、第１導光板（２−１）の発光面（２ａ−１）によって反射される。更に、第２導光板（２−２）の発光面（２ａ−２）を介して出射し、第１導光板（２−１）の発光面（２ａ−１）に到達した第２ＬＥＤ光源（１−２）からの第２色の光の他の一部分が、第１導光板（２−１）の発光面（２ａ−１）を透過し、反射膜（３−１）によって反射され、第１導光板（２−１）の発光面（２ａ−１）を介して出射する。
【００３８】
そのため、請求項５に記載のＬＥＤ照明装置（１００）によれば、反射膜（３−１）が設けられていない場合よりも、第１導光板（２−１）の発光面（２ａ−１）の先端側部分（２ａ２−１）が明るく光って見えるようにすることができる。
【００３９】
請求項６に記載のＬＥＤ照明装置（１００）では、第１導光板（２−１）と同様に構成された第（Ｎ＋１）導光板（２−（Ｎ＋１））が設けられている。また、反射膜（３−１）を介して、第１導光板（２−１）の発光面（２ａ−１）の背面（２ｄ−１）と、第（Ｎ＋１）導光板（２−（Ｎ＋１））の発光面の背面とが隣接せしめられている。更に、第１ＬＥＤ光源（１−１）の光軸が反射膜（３−１）に含まれるように、第１ＬＥＤ光源（１−１）の光軸が第１導光板（２−１）と第（Ｎ＋１）導光板（２−（Ｎ＋１））との間に配置されている。
【００４０】
その結果、請求項６に記載のＬＥＤ照明装置（１００）では、第１ＬＥＤ光源（１−１）の光の一部分が、第１導光板（２−１）の入光部（２ｂ−１）を介して第１導光板（２−１）に入光し、第１導光板（２−１）によって導光され、第１導光板（２−１）の発光面（２ａ−１）を介して第１導光板（２−１）から出射する。更に、第１ＬＥＤ光源（１−１）の光の他の一部分が、第（Ｎ＋１）導光板（２−（Ｎ＋１））の入光部を介して第（Ｎ＋１）導光板（２−（Ｎ＋１））に入光し、第（Ｎ＋１）導光板（２−（Ｎ＋１））によって導光され、第（Ｎ＋１）導光板（２−（Ｎ＋１））の発光面を介して第（Ｎ＋１）導光板（２−（Ｎ＋１））から出射する。
【００４１】
そのため、請求項６に記載のＬＥＤ照明装置（１００）によれば、第１導光板（２−１）および第（Ｎ＋１）導光板（２−（Ｎ＋１））のそれぞれに対してＬＥＤ光源が設けられる場合よりも、ＬＥＤ光源の数を削減することができる。つまり、請求項６に記載のＬＥＤ照明装置（１００）によれば、ＬＥＤ光源の数を抑制しつつ、導光板の発光面の数を増加させることができる。
【００４２】
請求項７に記載のＬＥＤ照明装置（１００）では、概略平板状の第１導光板（２−１）からの距離が増加する側に概略平板状の第１導光板（２−１）に対して概略垂直に観察位置を移動させると、第１導光板（２−１）の発光面（２ａ−１）の根元側部分（２ａ１−１）のうち、第１色に光って見えていた部分が、第２色に光って見えるように変化する。そのため、請求項７に記載のＬＥＤ照明装置（１００）によれば、第１ＬＥＤ光源（１−１）または第２ＬＥＤ光源（１−２）の点灯状態を切り換える必要なく、第１導光板（２−１）の発光面（２ａ−１）の見え方を変化させることができる。
【００４３】
請求項８に記載のＬＥＤ照明装置（１００）では、第１導光板（２−１）の発光面（２ａ−１）を介して出射した第１ＬＥＤ光源（１−１）からの第１色の光と、第２導光板（２−２）の発光面（２ａ−２）を介して出射し、第１導光板（２−１）の発光面（２ａ−１）に到達した第２ＬＥＤ光源（１−２）からの第２色の光とによって、第１導光板（２−１）の発光面（２ａ−１）のうち、根元側部分（２ａ１−１）と先端側部分（２ａ２−１）との間の中間部分（２ａ３−１）が、第１色と第２色との混合色に光って見える。
【００４４】
そのため、請求項８に記載のＬＥＤ照明装置（１００）によれば、第１色の光のみが第１ＬＥＤ光源（１−１）から第１導光板（２−１）の入光部（２ｂ−１）を介して第１導光板（２−１）に入光せしめられるにもかかわらず、第１色に光って見える部分と、第１色とは異なる第２色に光って見える部分と、第１色と第２色との混合色に光って見える部分とを第１導光板（２−１）の発光面（２ａ−１）に形成することができる。
【図面の簡単な説明】
【００４５】
【図１】第１の実施形態のＬＥＤ照明装置１００の概略的な構成図である。
【図２】図１に示す導光板２−１の部品図である。
【図３】図１に示す導光板２−１の部品図である。
【図４】図１に示す導光板２−２の詳細図である。
【図５】図１（Ｂ）に示す鉛直断面内を進む光Ｌ１，Ｌ２を説明するための図である。
【図６】図１（Ｂ）に示す鉛直断面内を進む光Ｌ３，Ｌ４を説明するための図である。
【図７】図１（Ｂ）に示す鉛直断面内を進む光Ｌ５を説明するための図である。
【図８】図１（Ｂ）に示す鉛直断面内を進む光Ｌ６を説明するための図である。
【図９】図１（Ｂ）に示す鉛直断面内を進む光Ｌ７を説明するための図である。
【図１０】図１（Ｂ）に示す鉛直断面内を進む光Ｌ８を説明するための図である。
【図１１】図１（Ｂ）に示す鉛直断面内を進む光Ｌ１１，Ｌ１２を説明するための図である。
【図１２】図１（Ｂ）に示す鉛直断面内を進む光Ｌ１３を説明するための図である。
【図１３】図１（Ｂ）に示す鉛直断面内を進む光Ｌ１４を説明するための図である。
【図１４】図１（Ｂ）に示す鉛直断面内を進む光Ｌ１５を説明するための図である。
【図１５】図１（Ｂ）に示す鉛直断面内を進む光Ｌ１６を説明するための図である。
【図１６】図１（Ｂ）に示す鉛直断面内を進む光Ｌ１７を説明するための図である。
【図１７】図１（Ｂ）に示す鉛直断面内を進む光Ｌ１８を説明するための図である。
【図１８】第５の実施形態のＬＥＤ照明装置１００の概略的な構成図である。
【図１９】図１８（Ｂ）に示す第５の実施形態のＬＥＤ照明装置１００の主要部の拡大図である。
【図２０】第６の実施形態のＬＥＤ照明装置１００の概略的な構成図である。
【図２１】図２０に示す導光板２−１の部品図である。
【図２２】図２０（Ｂ）に示す鉛直断面内を進む光Ｌ２１，Ｌ２２を説明するための図である。
【図２３】図２０（Ｂ）に示す鉛直断面内を進む光Ｌ２３を説明するための図である。
【図２４】図２０（Ｂ）に示す鉛直断面内を進む光Ｌ２４を説明するための図である。
【図２５】図２０（Ｂ）に示す鉛直断面内を進む光Ｌ２５を説明するための図である。
【図２６】図２０（Ｂ）に示す鉛直断面内を進む光２５’を説明するための図である。
【発明を実施するための形態】
【００４６】
以下、本発明のＬＥＤ照明装置の第１の実施形態について説明する。図１は第１の実施形態のＬＥＤ照明装置１００の概略的な構成図である。詳細には、図１（Ａ）は第１の実施形態のＬＥＤ照明装置１００の概略的な平面図、図１（Ｂ）は図１（Ａ）のＡ−Ａ線に沿った概略的な鉛直断面図である。図２および図３は図１に示す導光板２−１の部品図である。詳細には、図２（Ａ）は導光板２−１の後側面図、図２（Ｂ）は導光板２−１の底面図、図２（Ｃ）は導光板２−１の左側面図、図２（Ｄ）は導光板２−１の平面図、図２（Ｅ）は導光板２−１の右側面図、図２（Ｆ）は導光板２−１の斜視図、図２（Ｇ）は導光板２−１の前側面図である。図３（Ａ）は図２（Ｄ）のＢ−Ｂ線に沿った鉛直断面図である。図３（Ｂ）、図３（Ｃ）および図３（Ｄ）は図３（Ａ）に示す導光板２−１の拡大図である。図４は図１に示す導光板２−２の詳細図である。詳細には、図４（Ａ）は図１（Ｂ）に示す導光板２−２の詳細図である。図４（Ｂ）、図４（Ｃ）および図４（Ｄ）は図４（Ａ）に示す導光板２−２の拡大図である。
【００４７】
図５は図１（Ｂ）に示す鉛直断面内を進む光Ｌ１，Ｌ２を説明するための図である。図６は図１（Ｂ）に示す鉛直断面内を進む光Ｌ３，Ｌ４を説明するための図である。図７は図１（Ｂ）に示す鉛直断面内を進む光Ｌ５を説明するための図である。図８は図１（Ｂ）に示す鉛直断面内を進む光Ｌ６を説明するための図である。図９は図１（Ｂ）に示す鉛直断面内を進む光Ｌ７を説明するための図である。図１０は図１（Ｂ）に示す鉛直断面内を進む光Ｌ８を説明するための図である。図１１は図１（Ｂ）に示す鉛直断面内を進む光Ｌ１１，Ｌ１２を説明するための図である。図１２は図１（Ｂ）に示す鉛直断面内を進む光Ｌ１３を説明するための図である。図１３は図１（Ｂ）に示す鉛直断面内を進む光Ｌ１４を説明するための図である。図１４は図１（Ｂ）に示す鉛直断面内を進む光Ｌ１５を説明するための図である。図１５は図１（Ｂ）に示す鉛直断面内を進む光Ｌ１６を説明するための図である。図１６は図１（Ｂ）に示す鉛直断面内を進む光Ｌ１７を説明するための図である。図１７は図１（Ｂ）に示す鉛直断面内を進む光Ｌ１８を説明するための図である。
【００４８】
第１の実施形態のＬＥＤ照明装置１００では、図１に示すように、概略長方形の発光面２ａ−１（図１および図２参照）と、発光面２ａ−１に概略直交する入光部２ｂ−１（図１および図２参照）と、先端面２ｃ−１（図１および図２参照）と、背面２ｄ−１（図１および図２参照）と、側面２ｅ−１，２ｆ−１（図２参照）とを有する概略平板状の導光板２−１が設けられている。更に、導光板２−１の発光面２ａ−１には、複数の正六角形の凹状のレンズカット２ａ１ａ−１，２ａ１ｂ−１，２ａ１ｃ−１，２ａ１ｄ−１，２ａ１ｅ−１，２ａ２ａ−１，２ａ２ｂ−１，２ａ２ｃ−１，２ａ２ｄ−１，…（図２（Ｆ）および図３（Ａ）参照）が形成され、それらがハニカム状に（つまり、隙間なく隣接して）配列されている。
【００４９】
詳細には、第１の実施形態のＬＥＤ照明装置１００では、図３（Ａ）に示す鉛直断面内において、例えば９個の凹状の２ａ１ａ−１，２ａ１ｂ−１，２ａ１ｃ−１，２ａ１ｄ−１，２ａ１ｅ−１，２ａ２ａ−１，２ａ２ｂ−１，２ａ２ｃ−１，２ａ２ｄ−１が鉛直方向（図３（Ａ）の上下方向）に配列されている。
【００５０】
更に、第１の実施形態のＬＥＤ照明装置１００では、図２（Ｆ）および図３に示すように、正六角形の凹状のレンズカット２ａ１ａ−１が、正六角形の鉛直面（底面）２ａ１ａ１−１（図３（Ｂ）参照）と、その周りの６個の傾斜面２ａ１ａ２−１（図３（Ｃ）参照），２ａ１ａ３−１（図３（Ｄ）参照），…とによって構成されている。また、正六角形の凹状のレンズカット２ａ１ｂ−１が、鉛直面（底面）２ａ１ａ１−１（図３（Ｂ）参照）よりも深い（つまり、凹んでいる）正六角形の鉛直面（底面）２ａ１ｂ１−１（図３（Ｂ）参照）と、その周りの６個の傾斜面２ａ１ｂ２−１（図３（Ｃ）参照），２ａ１ｂ３−１（図３（Ｄ）参照），…とによって構成されている。更に、正六角形の凹状のレンズカット２ａ１ｃ−１が、鉛直面（底面）２ａ１ｂ１−１（図３（Ｂ）参照）よりも深い（つまり、凹んでいる）正六角形の鉛直面（底面）２ａ１ｃ１−１（図３（Ｂ）参照）と、その周りの６個の傾斜面２ａ１ｃ２−１（図３（Ｃ）参照），２ａ１ｃ３−１（図３（Ｄ）参照），…とによって構成されている。
【００５１】
また、第１の実施形態のＬＥＤ照明装置１００では、図２（Ｆ）および図３に示すように、正六角形の凹状のレンズカット２ａ１ｄ−１が、鉛直面（底面）２ａ１ｃ１−１（図３（Ｂ）参照）よりも深い（つまり、凹んでいる）正六角形の鉛直面（底面）２ａ１ｄ１−１（図３（Ｂ）参照）と、その周りの６個の傾斜面２ａ１ｄ２−１（図３（Ｃ）参照），２ａ１ｄ３−１（図３（Ｄ）参照），…とによって構成されている。更に、正六角形の凹状のレンズカット２ａ１ｅ−１が、鉛直面（底面）２ａ１ｄ１−１（図３（Ｂ）参照）よりも深い（つまり、凹んでいる）正六角形の鉛直面（底面）２ａ１ｅ１−１（図３（Ｂ）参照）と、その周りの６個の傾斜面２ａ１ｅ２−１（図３（Ｃ）参照），２ａ１ｅ３−１（図３（Ｄ）参照），…とによって構成されている。また、正六角形の凹状のレンズカット２ａ２ａ−１が、鉛直面（底面）２ａ１ｅ１−１（図３（Ｂ）参照）よりも深い（つまり、凹んでいる）正六角形の鉛直面（底面）２ａ２ａ１−１（図３（Ｂ）参照）と、その周りの６個の傾斜面２ａ２ａ２−１（図３（Ｃ）参照），２ａ２ａ３−１（図３（Ｄ）参照），…とによって構成されている。
【００５２】
更に、第１の実施形態のＬＥＤ照明装置１００では、図２（Ｆ）および図３に示すように、正六角形の凹状のレンズカット２ａ２ｂ−１が、鉛直面（底面）２ａ２ａ１−１（図３（Ｂ）参照）よりも深い（つまり、凹んでいる）正六角形の鉛直面（底面）２ａ２ｂ１−１（図３（Ｂ）参照）と、その周りの６個の傾斜面２ａ２ｂ２−１（図３（Ｃ）参照），２ａ２ｂ３−１（図３（Ｄ）参照），…とによって構成されている。また、正六角形の凹状のレンズカット２ａ２ｃ−１が、鉛直面（底面）２ａ２ｂ１−１（図３（Ｂ）参照）よりも深い（つまり、凹んでいる）正六角形の鉛直面（底面）２ａ２ｃ１−１（図３（Ｂ）参照）と、その周りの６個の傾斜面２ａ２ｃ２−１（図３（Ｃ）参照），２ａ２ｃ３−１（図３（Ｄ）参照），…とによって構成されている。更に、正六角形の凹状のレンズカット２ａ２ｄ−１が、鉛直面（底面）２ａ２ｃ１−１（図３（Ｂ）参照）よりも深い（つまり、凹んでいる）正六角形の鉛直面（底面）２ａ２ｄ１−１（図３（Ｂ）参照）と、その周りの６個の傾斜面２ａ２ｄ２−１（図３（Ｃ）参照），２ａ２ｄ３−１（図３（Ｄ）参照），…とによって構成されている。
【００５３】
また、第１の実施形態のＬＥＤ照明装置１００では、図１に示すように、導光板２−１（図１〜図３参照）と同様に構成された導光板２−２，２−３，２−４，２−５，２−６が設けられている。更に、反射膜３−１が導光板２−１の背面２ｄ−１（図１（Ｂ）参照）に形成され、反射膜３−２が導光板２−２の背面２ｄ−２（図１（Ｂ）参照）に形成されている。同様に、反射膜３−３，３−４，３−５，３−６（図１（Ａ）参照）が導光板２−３，２−４，２−５，２−６（図１（Ａ）参照）の背面にそれぞれ形成されている。
【００５４】
更に、第１の実施形態のＬＥＤ照明装置１００では、図１に示すように、導光板２−１，２−２，２−３，２−４，２−５，２−６が、接続部材４（図１（Ａ）参照）によって相互に接続され、ベース部材５に対して位置決めされている。詳細には、中空の概略正六角柱形状になるように、かつ、導光板２−１の発光面２ａ−１（図１（Ｂ）参照）と、導光板２−２の発光面２ａ−２（図１（Ｂ）参照）と、導光板２−３の発光面と、導光板２−４の発光面と、導光板２−５の発光面と、導光板２−６の発光面とが正六角柱の中心軸線ＣＬＧ１の側に指向するように、６個の導光板２−１，２−２，２−３，２−４，２−５，２−６が配置されている。更に詳細には、第１の実施形態のＬＥＤ照明装置１００では、図１に示すように、正六角柱の中心軸線ＣＬＧ１を隔てて導光板２−１の反対側に導光板２−２が配置されている。つまり、導光板２−１の発光面２ａ−１と導光板２−２の発光面２ａ−２とが対向するように、導光板２−１，２−２が配置されている。
【００５５】
また、第１の実施形態のＬＥＤ照明装置１００では、図１（Ｂ）に示すように、基板６に実装されたＬＥＤ光源１−１が、導光板２−１の入光部２ｂ−１に対向して配置されている。更に、基板６に実装されたＬＥＤ光源１−２が、導光板２−２の入光部２ｂ−２に対向して配置されている。同様に、図１（Ａ）に示すように、基板６（図１（Ｂ）参照）に実装されたＬＥＤ光源１−３，１−４，１−５，１−６が、導光板２−３，２−４，２−５，２−６の入光部に対向してそれぞれ配置されている。つまり、第１の実施形態のＬＥＤ照明装置１００では、図１（Ａ）に示すように、６組のＬＥＤ光源１−１，１−２，１−３，１−４，１−５，１−６および導光板２−１，２−２，２−３，２−４，２−５，２−６が設けられている。
【００５６】
更に、第１の実施形態のＬＥＤ照明装置１００では、図１（Ｂ）に示すように、ＬＥＤ光源１−１から照射される光の色が第１色に設定されると共に、ＬＥＤ光源１−２から照射される光の色が、第１色とは異なる第２色に設定されている。同様に、ＬＥＤ光源１−３（図１（Ａ）参照）から照射される光の色と、ＬＥＤ光源１−４（図１（Ａ）参照）から照射される光の色とが異ならされている。更に、ＬＥＤ光源１−５（図１（Ａ）参照）から照射される光の色と、ＬＥＤ光源１−６（図１（Ａ）参照）から照射される光の色とが異ならされている。
【００５７】
詳細には、第１の実施形態のＬＥＤ照明装置１００では、図５に示す鉛直断面内において、例えば、ＬＥＤ光源１−１から照射された第１色の光の一部が、導光板２−１の入光部２ｂ−１（図３参照）を介して導光板２−１に入光し、導光板２−１によって導光され、導光板２−１の発光面２ａ−１の根元側部分２ａ１−１（図３（Ａ）参照）のレンズカット２ａ１ｂ−１（図３（Ａ）参照）の傾斜面２ａ１ｂ２−１（図３（Ｃ）参照）を介して導光板２−１から出射し、出射光Ｌ１となって観察位置ＯＰ１に到達する。その結果、第１の実施形態のＬＥＤ照明装置１００では、観察位置ＯＰ１からＬＥＤ照明装置１００を見た時に、出射光Ｌ１によって、導光板２−１の発光面２ａ−１の根元側部分２ａ１−１（図３（Ａ）参照）のレンズカット２ａ１ｂ−１（図３（Ａ）参照）の傾斜面２ａ１ｂ２−１（図３（Ｃ）参照）が第１色に光って見える。
【００５８】
更に、第１の実施形態のＬＥＤ照明装置１００では、図５に示す鉛直断面内において、例えば、ＬＥＤ光源１−１から照射された第１色の光の一部が、導光板２−１の入光部２ｂ−１（図３参照）を介して導光板２−１に入光し、導光板２−１によって導光され、導光板２−１の発光面２ａ−１の根元側部分２ａ１−１（図３（Ａ）参照）のレンズカット２ａ１ｃ−１（図３（Ａ）参照）の傾斜面２ａ１ｃ２−１（図３（Ｃ）参照）を介して導光板２−１から出射し、出射光Ｌ２となって観察位置ＯＰ１に到達する。その結果、第１の実施形態のＬＥＤ照明装置１００では、観察位置ＯＰ１からＬＥＤ照明装置１００を見た時に、出射光Ｌ２によって、導光板２−１の発光面２ａ−１の根元側部分２ａ１−１（図３（Ａ）参照）のレンズカット２ａ１ｃ−１（図３（Ａ）参照）の傾斜面２ａ１ｃ２−１（図３（Ｃ）参照）が第１色に光って見える。
【００５９】
また、第１の実施形態のＬＥＤ照明装置１００では、図６に示す鉛直断面内において、例えば、ＬＥＤ光源１−１から照射された第１色の光の一部が、導光板２−１の入光部２ｂ−１（図３参照）を介して導光板２−１に入光し、導光板２−１によって導光され、反射膜３−１によって反射され、導光板２−１によって導光され、導光板２−１の発光面２ａ−１の根元側部分２ａ１−１（図３（Ａ）参照）のレンズカット２ａ１ｄ−１（図３（Ａ）参照）の傾斜面２ａ１ｄ２−１（図３（Ｃ）参照）を介して導光板２−１から出射し、出射光Ｌ３となって観察位置ＯＰ１に到達する。その結果、第１の実施形態のＬＥＤ照明装置１００では、観察位置ＯＰ１からＬＥＤ照明装置１００を見た時に、出射光Ｌ３によって、導光板２−１の発光面２ａ−１の根元側部分２ａ１−１（図３（Ａ）参照）のレンズカット２ａ１ｄ−１（図３（Ａ）参照）の傾斜面２ａ１ｄ２−１（図３（Ｃ）参照）が第１色に光って見える。
【００６０】
更に、第１の実施形態のＬＥＤ照明装置１００では、図６に示す鉛直断面内において、例えば、ＬＥＤ光源１−１から照射された第１色の光の一部が、導光板２−１の入光部２ｂ−１（図３参照）を介して導光板２−１に入光し、導光板２−１によって導光され、導光板２−１の発光面２ａ−１の根元側部分２ａ１−１（図３（Ａ）参照）のレンズカット２ａ１ａ−１（図３（Ａ）参照）の鉛直面２ａ１ａ１−１（図３（Ｂ）参照）によって反射され、反射膜３−１によって反射され、導光板２−１の発光面２ａ−１の根元側部分２ａ１−１（図３（Ａ）参照）のレンズカット２ａ１ｅ−１（図３（Ａ）参照）の傾斜面２ａ１ｅ２−１（図３（Ｃ）参照）を介して導光板２−１から出射し、出射光Ｌ４となって観察位置ＯＰ１に到達する。その結果、第１の実施形態のＬＥＤ照明装置１００では、観察位置ＯＰ１からＬＥＤ照明装置１００を見た時に、出射光Ｌ４によって、導光板２−１の発光面２ａ−１の根元側部分２ａ１−１（図３（Ａ）参照）のレンズカット２ａ１ｅ−１（図３（Ａ）参照）の傾斜面２ａ１ｅ２−１（図３（Ｃ）参照）が第１色に光って見える。
【００６１】
また、第１の実施形態のＬＥＤ照明装置１００では、図７に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の根元側部分２ａ１−２（図４（Ａ）参照）のレンズカット２ａ１ｂ−２（図４（Ａ）参照）の鉛直面２ａ１ｂ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｅ−２（図４（Ａ）参照）の鉛直面２ａ１ｅ１−２（図４（Ｂ）参照）によって反射され、反射膜３−２によって反射され、導光板２−２の発光面２ａ−２の先端側部分２ａ２−２（図４（Ａ）参照）のレンズカット２ａ２ｂ−２（図４（Ａ）参照）の鉛直面２ａ２ｂ１−２（図４（Ｂ）参照）によって反射され、反射膜３−２によって反射され、導光板２−２の発光面２ａ−２の先端側部分２ａ２−２（図４（Ａ）参照）のレンズカット２ａ２ｄ−２（図４（Ａ）参照）の傾斜面２ａ２ｄ２−２（図４（Ｃ）参照）によって反射され、反射膜３−２によって反射され、導光板２−２の発光面２ａ−２の先端側部分２ａ２−２（図４（Ａ）参照）のレンズカット２ａ２ｃ−２（図４（Ａ）参照）の傾斜面２ａ２ｃ３−２（図４（Ｄ）参照）を介して導光板２−２から出射し、導光板２−１の発光面２ａ−１の先端側部分２ａ２−１（図３（Ａ）参照）のレンズカット２ａ２ａ−１（図３（Ａ）参照）の傾斜面２ａ２ａ２−１（図３（Ｃ）参照）によって反射され、反射光Ｌ５となって観察位置ＯＰ１に到達する。その結果、第１の実施形態のＬＥＤ照明装置１００では、観察位置ＯＰ１からＬＥＤ照明装置１００を見た時に、反射光Ｌ５によって、導光板２−１の発光面２ａ−１の先端側部分２ａ２−１（図３（Ａ）参照）のレンズカット２ａ２ａ−１（図３（Ａ）参照）の傾斜面２ａ２ａ２−１（図３（Ｃ）参照）が第２色に光って見える。
【００６２】
更に、第１の実施形態のＬＥＤ照明装置１００では、図８に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の根元側部分２ａ１−２（図４（Ａ）参照）のレンズカット２ａ１ａ−２（図４（Ａ）参照）の鉛直面２ａ１ａ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｅ−２（図４（Ａ）参照）の傾斜面２ａ１ｅ２−２（図４（Ｃ）参照）によって反射され、反射膜３−２によって反射され、導光板２−２の発光面２ａ−２の根元側部分２ａ１−２（図４（Ａ）参照）のレンズカット２ａ１ｄ−２（図４（Ａ）参照）の鉛直面２ａ１ｄ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｃ−２（図４（Ａ）参照）の傾斜面２ａ１ｃ３−２（図４（Ｄ）参照）によって反射され、導光板２−２の発光面２ａ−２の根元側部分２ａ１−２（図４（Ａ）参照）のレンズカット２ａ１ｄ−２（図４（Ａ）参照）の傾斜面２ａ１ｄ２−２（図４（Ｃ）参照）によって反射され、反射膜３−２によって反射され、導光板２−２の発光面２ａ−２の根元側部分２ａ１−２（図４（Ａ）参照）のレンズカット２ａ１ｄ−２（図４（Ａ）参照）の鉛直面２ａ１ｄ１−２（図４（Ｂ）参照）を介して導光板２−２から出射し、導光板２−１の発光面２ａ−１の先端側部分２ａ２−１（図３（Ａ）参照）のレンズカット２ａ２ａ−１（図３（Ａ）参照）の鉛直面２ａ２ａ１−１（図３（Ｂ）参照）を介して導光板２−１に入光し、導光板２−１によって導光され、反射膜３−１によって反射され、導光板２−１の発光面２ａ−１の先端側部分２ａ２−１（図３（Ａ）参照）のレンズカット２ａ２ａ−１（図３（Ａ）参照）の傾斜面２ａ２ａ３−１（図３（Ｄ）参照）によって反射され、導光板２−１の発光面２ａ−１の先端側部分２ａ２−１（図３（Ａ）参照）のレンズカット２ａ２ｂ−１（図３（Ａ）参照）の傾斜面２ａ２ｂ２−１（図３（Ｃ）参照）を介して導光板２−１から出射し、出射光Ｌ６となって観察位置ＯＰ１に到達する。その結果、第１の実施形態のＬＥＤ照明装置１００では、観察位置ＯＰ１からＬＥＤ照明装置１００を見た時に、出射光Ｌ６によって、導光板２−１の発光面２ａ−１の先端側部分２ａ２−１（図３（Ａ）参照）のレンズカット２ａ２ｂ−１（図３（Ａ）参照）の傾斜面２ａ２ｂ２−１（図３（Ｃ）参照）が第２色に光って見える。
【００６３】
また、第１の実施形態のＬＥＤ照明装置１００では、図９に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の根元側部分２ａ１−２（図４（Ａ）参照）のレンズカット２ａ１ｂ−２（図４（Ａ）参照）の鉛直面２ａ１ｂ１−２（図４（Ｂ）参照）によって反射され、反射膜３−２によって反射され、導光板２−２の発光面２ａ−２の先端側部分２ａ２−２（図４（Ａ）参照）のレンズカット２ａ２ａ−２（図４（Ａ）参照）の傾斜面２ａ２ａ２−２（図４（Ｃ）参照）を介して導光板２−２から出射し、導光板２−２の発光面２ａ−２の先端側部分２ａ２−２（図４（Ａ）参照）のレンズカット２ａ２ａ−２（図４（Ａ）参照）の傾斜面２ａ２ａ３−２（図４（Ｄ）参照）によって反射され、導光板２−１の発光面２ａ−１の先端側部分２ａ２−１（図３（Ａ）参照）のレンズカット２ａ２ｂ−１（図３（Ａ）参照）の傾斜面２ａ２ｂ３−１（図３（Ｄ）参照）を介して導光板２−１に入光し、導光板２−１によって導光され、反射膜３−１によって反射され、導光板２−１の発光面２ａ−１の先端側部分２ａ２−１（図３（Ａ）参照）のレンズカット２ａ２ｂ−１（図３（Ａ）参照）の傾斜面２ａ２ｂ３−１（図３（Ｄ）参照）によって反射され、導光板２−１の発光面２ａ−１の先端側部分２ａ２−１（図３（Ａ）参照）のレンズカット２ａ２ｃ−１（図３（Ａ）参照）の傾斜面２ａ２ｃ２−１（図３（Ｃ）参照）を介して導光板２−１から出射し、出射光Ｌ７となって観察位置ＯＰ１に到達する。その結果、第１の実施形態のＬＥＤ照明装置１００では、観察位置ＯＰ１からＬＥＤ照明装置１００を見た時に、出射光Ｌ７によって、導光板２−１の発光面２ａ−１の先端側部分２ａ２−１（図３（Ａ）参照）のレンズカット２ａ２ｃ−１（図３（Ａ）参照）の傾斜面２ａ２ｃ２−１（図３（Ｃ）参照）が第２色に光って見える。
【００６４】
更に、第１の実施形態のＬＥＤ照明装置１００では、図１０に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の根元側部分２ａ１−２（図４（Ａ）参照）のレンズカット２ａ１ａ−２（図４（Ａ）参照）の鉛直面２ａ１ａ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｄ−２（図４（Ａ）参照）の鉛直面２ａ１ｄ１−２（図４（Ｂ）参照）によって反射され、反射膜３−２によって反射され、導光板２−２の発光面２ａ−２の先端側部分２ａ２−２（図４（Ａ）参照）のレンズカット２ａ２ｂ−２（図４（Ａ）参照）の傾斜面２ａ２ｂ２−２（図４（Ｃ）参照）を介して導光板２−２から出射し、導光板２−２の発光面２ａ−２の先端側部分２ａ２−２（図４（Ａ）参照）のレンズカット２ａ２ｂ−２（図４（Ａ）参照）の傾斜面２ａ２ｂ３−２（図４（Ｄ）参照）によって反射され、導光板２−１の発光面２ａ−１の先端側部分２ａ２−１（図３（Ａ）参照）のレンズカット２ａ２ｃ−１（図３（Ａ）参照）の傾斜面２ａ２ｃ３−１（図３（Ｄ）参照）を介して導光板２−１に入光し、導光板２−１によって導光され、反射膜３−１によって反射され、導光板２−１の発光面２ａ−１の先端側部分２ａ２−１（図３（Ａ）参照）のレンズカット２ａ２ｃ−１（図３（Ａ）参照）の傾斜面２ａ２ｃ３−１（図３（Ｄ）参照）によって反射され、導光板２−１の発光面２ａ−１の先端側部分２ａ２−１（図３（Ａ）参照）のレンズカット２ａ２ｄ−１（図３（Ａ）参照）の傾斜面２ａ２ｄ２−１（図３（Ｃ）参照）を介して導光板２−１から出射し、出射光Ｌ８となって観察位置ＯＰ１に到達する。その結果、第１の実施形態のＬＥＤ照明装置１００では、観察位置ＯＰ１からＬＥＤ照明装置１００を見た時に、出射光Ｌ８によって、導光板２−１の発光面２ａ−１の先端側部分２ａ２−１（図３（Ａ）参照）のレンズカット２ａ２ｄ−１（図３（Ａ）参照）の傾斜面２ａ２ｄ２−１（図３（Ｃ）参照）が第２色に光って見える。
【００６５】
換言すれば、第１の実施形態のＬＥＤ照明装置１００では、図７〜図１０に示すように、導光板２−２の発光面２ａ−２を介して出射したＬＥＤ光源１−２からの第２色の光の一部分（詳細には、光Ｌ５，Ｌ６，Ｌ７，Ｌ８）が、導光板２−１の発光面２ａ−１に到達する。その結果、第１の実施形態のＬＥＤ照明装置１００では、導光板２−２の発光面２ａ−２を介して出射し、導光板２−１の発光面２ａ−１に到達したＬＥＤ光源１−２からの第２色の光Ｌ５，Ｌ６，Ｌ７，Ｌ８によって、導光板２−１の発光面２ａ−１の先端側部分２ａ２−１（図３（Ａ）参照）が、第２色に光って見える。
【００６６】
そのため、第１の実施形態のＬＥＤ照明装置１００によれば、第１色の光のみがＬＥＤ光源１−１から導光板２−１の入光部２ｂ−１を介して導光板２−１に入光せしめられるにもかかわらず、導光板２−１の発光面２ａ−１の先端側部分２ａ２−１が、第１色とは異なる色に光って見えるようにすることができる。
【００６７】
第１の実施形態のＬＥＤ照明装置１００では、６個のＬＥＤ光源１−１，１−２，１−３，１−４，１−５，１−６および６個の導光板２−１，２−２，２−３，２−４，２−５，２−６が設けられているが、第２の実施形態のＬＥＤ照明装置１００では、代わりに、ＬＥＤ光源１−３，１−４，１−５，１−６および６個の導光板２−３，２−４，２−５，２−６を省略することも可能である。
【００６８】
更に、第１の実施形態のＬＥＤ照明装置１００では、図１（Ｂ）に示すように、導光板２−１の発光面２ａ−１の背面２ｄ−１に反射膜３−１が設けられている。その結果、第１の実施形態のＬＥＤ照明装置１００では、図８〜図１０に示すように、導光板２−２の発光面２ａ−２を介して出射し、導光板２−１の発光面２ａ−１に到達したＬＥＤ光源１−２からの第２色の光Ｌ６，Ｌ７，Ｌ８が、導光板２−１の発光面２ａ−１を透過し、反射膜３−１によって反射され、導光板２−１の発光面２ａ−１を介して出射し、観察位置ＯＰ１に到達する。そのため、第１の実施形態のＬＥＤ照明装置１００によれば、反射膜３−１が設けられていない場合よりも、観察位置ＯＰ１からＬＥＤ照明装置１００を見た時に、導光板２−１の発光面２ａ−１の先端側部分２ａ２−１が明るく光って見えるようにすることができる。
【００６９】
第１の実施形態のＬＥＤ照明装置１００では、図１（Ａ）に示すように、導光板２−１，２−２，２−３，２−４，２−５，２−６に反射膜３−１，３−２，３−３，３−４，３−５，３−６がそれぞれ設けられているが、第３の実施形態のＬＥＤ照明装置１００では、代わりに、反射膜３−１，３−２，３−３，３−４，３−５，３−６を省略することも可能である。第３の実施形態のＬＥＤ照明装置１００では、導光板２−１によって導光される光の一部が導光板２−１の背面２ｄ−１によって内面反射され、導光板２−２によって導光される光の一部が導光板２−２の背面２ｄ−２によって内面反射され、導光板２−３によって導光される光の一部が導光板２−３の背面によって内面反射され、導光板２−４によって導光される光の一部が導光板２−４の背面によって内面反射され、導光板２−５によって導光される光の一部が導光板２−５の背面によって内面反射され、導光板２−６によって導光される光の一部が導光板２−６の背面によって内面反射される。
【００７０】
また、第１の実施形態のＬＥＤ照明装置１００では、図１１に示す鉛直断面内において、例えば、ＬＥＤ光源１−１から照射された第１色の光の一部が、導光板２−１の入光部２ｂ−１（図３参照）を介して導光板２−１に入光し、導光板２−１によって導光され、導光板２−１の発光面２ａ−１の根元側部分２ａ１−１（図３（Ａ）参照）のレンズカット２ａ１ｂ−１（図３（Ａ）参照）の傾斜面２ａ１ｂ２−１（図３（Ｃ）参照）を介して導光板２−１から出射し、出射光Ｌ１１となって、観察位置ＯＰ１（図５参照）とは異なる観察位置ＯＰ２に到達する。その結果、第１の実施形態のＬＥＤ照明装置１００では、観察位置ＯＰ２からＬＥＤ照明装置１００を見た時に、出射光Ｌ１１によって、導光板２−１の発光面２ａ−１の根元側部分２ａ１−１（図３（Ａ）参照）のレンズカット２ａ１ｂ−１（図３（Ａ）参照）の傾斜面２ａ１ｂ２−１（図３（Ｃ）参照）が第１色に光って見える。
【００７１】
更に、第１の実施形態のＬＥＤ照明装置１００では、図１１に示す鉛直断面内において、例えば、ＬＥＤ光源１−１から照射された第１色の光の一部が、導光板２−１の入光部２ｂ−１（図３参照）を介して導光板２−１に入光し、導光板２−１によって導光され、反射膜３−１によって反射され、導光板２−１の発光面２ａ−１の根元側部分２ａ１−１（図３（Ａ）参照）のレンズカット２ａ１ｃ−１（図３（Ａ）参照）の傾斜面２ａ１ｃ２−１（図３（Ｃ）参照）を介して導光板２−１から出射し、出射光Ｌ１２となって観察位置ＯＰ２に到達する。その結果、第１の実施形態のＬＥＤ照明装置１００では、観察位置ＯＰ２からＬＥＤ照明装置１００を見た時に、出射光Ｌ１２によって、導光板２−１の発光面２ａ−１の根元側部分２ａ１−１（図３（Ａ）参照）のレンズカット２ａ１ｃ−１（図３（Ａ）参照）の傾斜面２ａ１ｃ２−１（図３（Ｃ）参照）が第１色に光って見える。
【００７２】
また、第１の実施形態のＬＥＤ照明装置１００では、図１２に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の先端側部分２ａ２−２（図４（Ａ）参照）のレンズカット２ａ２ａ−２（図４（Ａ）参照）の傾斜面２ａ２ａ２−２（図４（Ｃ）参照）を介して導光板２−２から出射し、導光板２−２の発光面２ａ−２の先端側部分２ａ２−２（図４（Ａ）参照）のレンズカット２ａ２ａ−２（図４（Ａ）参照）の傾斜面２ａ２ａ３−２（図４（Ｄ）参照）を介して導光板２−２に入光し、導光板２−２によって導光され、反射膜３−２によって反射され、導光板２−２の発光面２ａ−２の先端側部分２ａ２−２（図４（Ａ）参照）のレンズカット２ａ２ｃ−２（図４（Ａ）参照）の傾斜面２ａ２ｃ２−２（図４（Ｃ）参照）によって反射され、反射膜３−２によって反射され、導光板２−２の発光面２ａ−２の先端側部分２ａ２−２（図４（Ａ）参照）のレンズカット２ａ２ｂ−２（図４（Ａ）参照）の傾斜面２ａ２ｂ３−２（図４（Ｄ）参照）を介して導光板２−２から出射し、導光板２−１の発光面２ａ−１の根元側部分２ａ１−１（図３（Ａ）参照）のレンズカット２ａ１ｄ−１（図３（Ａ）参照）の傾斜面２ａ１ｄ２−１（図３（Ｃ）参照）によって反射され、反射光Ｌ１３となって観察位置ＯＰ２に到達する。その結果、第１の実施形態のＬＥＤ照明装置１００では、観察位置ＯＰ２からＬＥＤ照明装置１００を見た時に、反射光Ｌ１３によって、導光板２−１の発光面２ａ−１の根元側部分２ａ１−１（図３（Ａ）参照）のレンズカット２ａ１ｄ−１（図３（Ａ）参照）の傾斜面２ａ１ｄ２−１（図３（Ｃ）参照）が第２色に光って見える。
【００７３】
更に、第１の実施形態のＬＥＤ照明装置１００では、図１３に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の根元側部分２ａ１−２（図４（Ａ）参照）のレンズカット２ａ１ａ−２（図４（Ａ）参照）の鉛直面２ａ１ａ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｄ−２（図４（Ａ）参照）の鉛直面２ａ１ｄ１−２（図４（Ｂ）参照）によって反射され、反射膜３−２によって反射され、導光板２−２の発光面２ａ−２の先端側部分２ａ２−２（図４（Ａ）参照）のレンズカット２ａ２ａ−２（図４（Ａ）参照）の鉛直面２ａ２ａ１−２（図４（Ｂ）参照）によって反射され、反射膜３−２によって反射され、導光板２−２の発光面２ａ−２の先端側部分２ａ２−２（図４（Ａ）参照）のレンズカット２ａ２ｃ−２（図４（Ａ）参照）の傾斜面２ａ２ｃ２−２（図４（Ｃ）参照）を介して導光板２−２から出射し、導光板２−２の発光面２ａ−２の先端側部分２ａ２−２（図４（Ａ）参照）のレンズカット２ａ２ｃ−２（図４（Ａ）参照）の傾斜面２ａ２ｃ３−２（図４（Ｄ）参照）を介して導光板２−２に入光し、導光板２−２によって導光され、導光板２−２の発光面２ａ−２の先端側部分２ａ２−２（図４（Ａ）参照）のレンズカット２ａ２ｄ−２（図４（Ａ）参照）の傾斜面２ａ２ｄ２−２（図４（Ｃ）参照）によって反射され、反射膜３−２によって反射され、導光板２−２の先端面２ｃ−２によって反射され、導光板２−２の発光面２ａ−２の先端側部分２ａ２−２（図４（Ａ）参照）のレンズカット２ａ２ｄ−２（図４（Ａ）参照）の傾斜面２ａ２ｄ３−２（図４（Ｄ）参照）によって反射され、導光板２−２の先端面２ｃ−２によって反射され、導光板２−２の発光面２ａ−２の先端側部分２ａ２−２（図４（Ａ）参照）のレンズカット２ａ２ｄ−２（図４（Ａ）参照）の傾斜面２ａ２ｄ３−２（図４（Ｄ）参照）によって反射され、反射膜３−２によって反射され、導光板２−２の発光面２ａ−２の先端側部分２ａ２−２（図４（Ａ）参照）のレンズカット２ａ２ｄ−２（図４（Ａ）参照）の鉛直面２ａ２ｄ１−２（図４（Ｂ）参照）を介して導光板２−２から出射し、導光板２−１の発光面２ａ−１の根元側部分２ａ１−１（図３（Ａ）参照）のレンズカット２ａ１ｅ−１（図３（Ａ）参照）の傾斜面２ａ１ｅ２−１（図３（Ｃ）参照）によって反射され、反射光Ｌ１４となって観察位置ＯＰ２に到達する。その結果、第１の実施形態のＬＥＤ照明装置１００では、観察位置ＯＰ２からＬＥＤ照明装置１００を見た時に、反射光Ｌ１４によって、導光板２−１の発光面２ａ−１の根元側部分２ａ１−１（図３（Ａ）参照）のレンズカット２ａ１ｅ−１（図３（Ａ）参照）の傾斜面２ａ１ｅ２−１（図３（Ｃ）参照）が第２色に光って見える。
【００７４】
また、第１の実施形態のＬＥＤ照明装置１００では、図１４に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、反射膜３−２によって反射され、導光板２−２の発光面２ａ−２の根元側部分２ａ１−２（図４（Ａ）参照）のレンズカット２ａ１ｄ−２（図４（Ａ）参照）の傾斜面２ａ１ｄ２−２（図４（Ｃ）参照）を介して導光板２−２から出射し、導光板２−２の発光面２ａ−２の根元側部分２ａ１−２（図４（Ａ）参照）のレンズカット２ａ１ｄ−２（図４（Ａ）参照）の傾斜面２ａ１ｄ３−２（図４（Ｄ）参照）を介して導光板２−２に入光し、導光板２−２によって導光され、導光板２−２の発光面２ａ−２の根元側部分２ａ１−２（図４（Ａ）参照）のレンズカット２ａ１ｅ−２（図４（Ａ）参照）の傾斜面２ａ１ｅ２−２（図４（Ｃ）参照）によって反射され、反射膜３−２によって反射され、導光板２−２の発光面２ａ−２の根元側部分２ａ１−２（図４（Ａ）参照）のレンズカット２ａ１ｅ−２（図４（Ａ）参照）の鉛直面２ａ１ｅ１−２（図４（Ｂ）参照）を介して導光板２−２から出射し、導光板２−１の発光面２ａ−１の先端側部分２ａ２−１（図３（Ａ）参照）のレンズカット２ａ２ｃ−１（図３（Ａ）参照）の傾斜面２ａ２ｃ３−１（図３（Ｄ）参照）によって反射され、導光板２−１の発光面２ａ−１の先端側部分２ａ２−１（図３（Ａ）参照）のレンズカット２ａ２ｃ−１（図３（Ａ）参照）の傾斜面２ａ２ｃ２−１（図３（Ｃ）参照）を介して導光板２−１に入光し、導光板２−１によって導光され、反射膜３−１によって反射され、導光板２−１の発光面２ａ−１の根元側部分２ａ１−１（図３（Ａ）参照）のレンズカット２ａ１ｄ−１（図３（Ａ）参照）の傾斜面２ａ１ｄ３−１（図３（Ｄ）参照）によって反射され、反射膜３−１によって反射され、導光板２−１の発光面２ａ−１の根元側部分２ａ１−１（図３（Ａ）参照）のレンズカット２ａ１ｅ−１（図３（Ａ）参照）の鉛直面２ａ１ｅ１−１（図３（Ｂ）参照）によって反射され、反射膜３−１によって反射され、導光板２−１の発光面２ａ−１の根元側部分２ａ１−１（図３（Ａ）参照）のレンズカット２ａ１ｅ−１（図３（Ａ）参照）の傾斜面２ａ１ｅ３−１（図３（Ｄ）参照）によって反射され、導光板２−１の発光面２ａ−１の先端側部分２ａ２−１（図３（Ａ）参照）のレンズカット２ａ２ａ−１（図３（Ａ）参照）の傾斜面２ａ２ａ２−１（図３（Ｃ）参照）を介して導光板２−１から出射し、出射光Ｌ１５となって観察位置ＯＰ２に到達する。その結果、第１の実施形態のＬＥＤ照明装置１００では、観察位置ＯＰ２からＬＥＤ照明装置１００を見た時に、出射光Ｌ１５によって、導光板２−１の発光面２ａ−１の先端側部分２ａ２−１（図３（Ａ）参照）のレンズカット２ａ２ａ−１（図３（Ａ）参照）の傾斜面２ａ２ａ２−１（図３（Ｃ）参照）が第２色に光って見える。
【００７５】
更に、第１の実施形態のＬＥＤ照明装置１００では、図１５に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、反射膜３−２によって反射され、導光板２−２の発光面２ａ−２の根元側部分２ａ１−２（図４（Ａ）参照）のレンズカット２ａ１ｄ−２（図４（Ａ）参照）の傾斜面２ａ１ｄ２−２（図４（Ｃ）参照）を介して導光板２−２から出射し、導光板２−２の発光面２ａ−２の根元側部分２ａ１−２（図４（Ａ）参照）のレンズカット２ａ１ｄ−２（図４（Ａ）参照）の傾斜面２ａ１ｄ３−２（図４（Ｄ）参照）を介して導光板２−２に入光し、導光板２−２によって導光され、導光板２−２の発光面２ａ−２の根元側部分２ａ１−２（図４（Ａ）参照）のレンズカット２ａ１ｅ−２（図４（Ａ）参照）の傾斜面２ａ１ｅ２−２（図４（Ｃ）参照）によって反射され、反射膜３−２によって反射され、導光板２−２の発光面２ａ−２の根元側部分２ａ１−２（図４（Ａ）参照）のレンズカット２ａ１ｅ−２（図４（Ａ）参照）の鉛直面２ａ１ｅ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｅ−２（図４（Ａ）参照）の鉛直面２ａ１ｅ１−２（図４（Ｂ）参照）によって反射され、反射膜３−２によって反射され、導光板２−２の発光面２ａ−２の先端側部分２ａ２−２（図４（Ａ）参照）のレンズカット２ａ２ａ−２（図４（Ａ）参照）の傾斜面２ａ２ａ２−２（図４（Ｃ）参照）を介して導光板２−２から出射し、導光板２−１の発光面２ａ−１の根元側部分２ａ１−１（図３（Ａ）参照）のレンズカット２ａ１ｅ−１（図３（Ａ）参照）の傾斜面２ａ１ｅ３−１（図３（Ｄ）参照）を介して導光板２−１に入光し、導光板２−１によって導光され、反射膜３−１によって反射され、導光板２−１の発光面２ａ−１の先端側部分２ａ２−１（図３（Ａ）参照）のレンズカット２ａ２ａ−１（図３（Ａ）参照）の鉛直面２ａ２ａ１−１（図３（Ｂ）参照）によって反射され、反射膜３−１によって反射され、導光板２−１の発光面２ａ−１の先端側部分２ａ２−１（図３（Ａ）参照）のレンズカット２ａ２ａ−１（図３（Ａ）参照）の傾斜面２ａ２ａ３−１（図３（Ｄ）参照）によって反射され、導光板２−１の発光面２ａ−１の先端側部分２ａ２−１（図３（Ａ）参照）のレンズカット２ａ２ｂ−１（図３（Ａ）参照）の傾斜面２ａ２ｂ２−１（図３（Ｃ）参照）を介して導光板２−１から出射し、出射光Ｌ１６となって観察位置ＯＰ２に到達する。その結果、第１の実施形態のＬＥＤ照明装置１００では、観察位置ＯＰ２からＬＥＤ照明装置１００を見た時に、出射光Ｌ１６によって、導光板２−１の発光面２ａ−１の先端側部分２ａ２−１（図３（Ａ）参照）のレンズカット２ａ２ｂ−１（図３（Ａ）参照）の傾斜面２ａ２ｂ２−１（図３（Ｃ）参照）が第２色に光って見える。
【００７６】
また、第１の実施形態のＬＥＤ照明装置１００では、図１６に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の根元側部分２ａ１−２（図４（Ａ）参照）のレンズカット２ａ１ｃ−２（図４（Ａ）参照）の傾斜面２ａ１ｃ２−２（図４（Ｃ）参照）を介して導光板２−２から出射し、導光板２−２の発光面２ａ−２の根元側部分２ａ１−２（図４（Ａ）参照）のレンズカット２ａ１ｃ−２（図４（Ａ）参照）の傾斜面２ａ１ｃ３−２（図４（Ｄ）参照）を介して導光板２−２に入光し、導光板２−２によって導光され、反射膜３−２によって反射され、導光板２−２の発光面２ａ−２の先端側部分２ａ２−２（図４（Ａ）参照）のレンズカット２ａ２ａ−２（図４（Ａ）参照）の傾斜面２ａ２ａ２−２（図４（Ｃ）参照）を介して導光板２−２から出射し、導光板２−２の発光面２ａ−２の先端側部分２ａ２−２（図４（Ａ）参照）のレンズカット２ａ２ａ−２（図４（Ａ）参照）の傾斜面２ａ２ａ３−２（図４（Ｄ）参照）によって反射され、導光板２−１の発光面２ａ−１の先端側部分２ａ２−１（図３（Ａ）参照）のレンズカット２ａ２ａ−１（図３（Ａ）参照）の傾斜面２ａ２ａ３−１（図３（Ｄ）参照）を介して導光板２−１に入光し、導光板２−１によって導光され、反射膜３−１によって反射され、導光板２−１の発光面２ａ−１の先端側部分２ａ２−１（図３（Ａ）参照）のレンズカット２ａ２ｂ−１（図３（Ａ）参照）の鉛直面２ａ２ｂ１−１（図３（Ｂ）参照）によって反射され、反射膜３−１によって反射され、導光板２−１の発光面２ａ−１の先端側部分２ａ２−１（図３（Ａ）参照）のレンズカット２ａ２ｂ−１（図３（Ａ）参照）の傾斜面２ａ２ｂ３−１（図３（Ｄ）参照）によって反射され、導光板２−１の発光面２ａ−１の先端側部分２ａ２−１（図３（Ａ）参照）のレンズカット２ａ２ｃ−１（図３（Ａ）参照）の傾斜面２ａ２ｃ２−１（図３（Ｃ）参照）を介して導光板２−１から出射し、出射光Ｌ１７となって観察位置ＯＰ２に到達する。その結果、第１の実施形態のＬＥＤ照明装置１００では、観察位置ＯＰ２からＬＥＤ照明装置１００を見た時に、出射光Ｌ１７によって、導光板２−１の発光面２ａ−１の先端側部分２ａ２−１（図３（Ａ）参照）のレンズカット２ａ２ｃ−１（図３（Ａ）参照）の傾斜面２ａ２ｃ２−１（図３（Ｃ）参照）が第２色に光って見える。
【００７７】
更に、第１の実施形態のＬＥＤ照明装置１００では、図１７に示す鉛直断面内において、例えば、ＬＥＤ光源１−２から照射された第２色の光の一部が、導光板２−２の入光部２ｂ−２（図４参照）を介して導光板２−２に入光し、導光板２−２によって導光され、導光板２−２の発光面２ａ−２の根元側部分２ａ１−２（図４（Ａ）参照）のレンズカット２ａ１ａ−２（図４（Ａ）参照）の鉛直面２ａ１ａ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｄ−２（図４（Ａ）参照）の傾斜面２ａ１ｄ２−２（図４（Ｃ）参照）を介して導光板２−２から出射し、導光板２−２の発光面２ａ−２の根元側部分２ａ１−２（図４（Ａ）参照）のレンズカット２ａ１ｄ−２（図４（Ａ）参照）の傾斜面２ａ１ｄ３−２（図４（Ｄ）参照）を介して導光板２−２に入光し、導光板２−２によって導光され、導光板２−２の発光面２ａ−２の根元側部分２ａ１−２（図４（Ａ）参照）のレンズカット２ａ１ｅ−２（図４（Ａ）参照）の傾斜面２ａ１ｅ２−２（図４（Ｃ）参照）によって反射され、反射膜３−２によって反射され、導光板２−２の発光面２ａ−２の根元側部分２ａ１−２（図４（Ａ）参照）のレンズカット２ａ１ｅ−２（図４（Ａ）参照）の鉛直面２ａ１ｅ１−２（図４（Ｂ）参照）によって反射され、反射膜３−２によって反射され、導光板２−２の発光面２ａ−２の根元側部分２ａ１−２（図４（Ａ）参照）のレンズカット２ａ１ｅ−２（図４（Ａ）参照）の鉛直面２ａ１ｅ１−２（図４（Ｂ）参照）を介して導光板２−２から出射し、導光板２−１の発光面２ａ−１の先端側部分２ａ２−１（図３（Ａ）参照）のレンズカット２ａ２ｂ−１（図３（Ａ）参照）の傾斜面２ａ２ｂ２−１（図３（Ｃ）参照）によって反射され、導光板２−１の発光面２ａ−１の先端側部分２ａ２−１（図３（Ａ）参照）のレンズカット２ａ２ｂ−１（図３（Ａ）参照）の傾斜面２ａ２ｂ３−１（図３（Ｄ）参照）を介して導光板２−１に入光し、導光板２−１によって導光され、反射膜３−１によって反射され、導光板２−１の発光面２ａ−１の先端側部分２ａ２−１（図３（Ａ）参照）のレンズカット２ａ２ｄ−１（図３（Ａ）参照）の傾斜面２ａ２ｄ２−１（図３（Ｃ）参照）を介して導光板２−１から出射し、出射光Ｌ１８となって観察位置ＯＰ２に到達する。その結果、第１の実施形態のＬＥＤ照明装置１００では、観察位置ＯＰ２からＬＥＤ照明装置１００を見た時に、出射光Ｌ１８によって、導光板２−１の発光面２ａ−１の先端側部分２ａ２−１（図３（Ａ）参照）のレンズカット２ａ２ｄ−１（図３（Ａ）参照）の傾斜面２ａ２ｄ２−１（図３（Ｃ）参照）が第２色に光って見える。
【００７８】
つまり、第１の実施形態のＬＥＤ照明装置１００では、図６および図１２に示すように、観察者の視点が、例えば、観察位置ＯＰ１（図６参照）から観察位置ＯＰ２（図１２参照）まで、概略平板状の導光板２−１に対して概略垂直に、かつ、概略平板状の導光板２−１からの距離が増加する側（すなわち、図６および図１２の左側）に移動せしめられると、導光板２−１の発光面２ａ−１の根元側部分２ａ１−１（図３（Ａ）参照）のうち、出射光Ｌ３（図６参照）によって第１色に光って見えていたレンズカット２ａ１ｄ−１（図３（Ａ）参照）の傾斜面２ａ１ｄ２−１（図３（Ｃ）参照）が、反射光Ｌ１３（図１２参照）によって第２色に光って見えるように変化する。
【００７９】
また、第１の実施形態のＬＥＤ照明装置１００では、図６および図１３に示すように、観察者の視点が、例えば、観察位置ＯＰ１（図６参照）から観察位置ＯＰ２（図１３参照）まで、概略平板状の導光板２−１に対して概略垂直に、かつ、概略平板状の導光板２−１からの距離が増加する側（すなわち、図６および図１３の左側）に移動せしめられると、導光板２−１の発光面２ａ−１の根元側部分２ａ１−１（図３（Ａ）参照）のうち、出射光Ｌ４（図６参照）によって第１色に光って見えていたレンズカット２ａ１ｅ−１（図３（Ａ）参照）の傾斜面２ａ１ｅ２−１（図３（Ｃ）参照）が、反射光Ｌ１４（図１２参照）によって第２色に光って見えるように変化する。
【００８０】
そのため、第１の実施形態のＬＥＤ照明装置１００によれば、ＬＥＤ光源１−１，１−２の点灯状態を切り換える必要なく、導光板２−１の発光面２ａ−１の見え方を変化させることができる。
【００８１】
第１の実施形態のＬＥＤ照明装置１００では、図１に示すように、６組のＬＥＤ光源１−１，１−２，１−３，１−４，１−５，１−６および導光板２−１，２−２，２−３，２−４，２−５，２−６が設けられ、中空の概略正六角柱形状になるように、かつ、各導光板２−１，２−２，２−３，２−４，２−５，２−６の発光面２ａ−１，２ａ−２，…が正六角柱の中心軸線ＣＬＧ１の側に指向するように、６個の導光板２−１，２−２，２−３，２−４，２−５，２−６が配置されているが、第４の実施形態のＬＥＤ照明装置１００では、代わりに、Ｎ組（Ｎは６以外の偶数であって、４以上の偶数）のＬＥＤ光源および導光板を設け、中空の概略正Ｎ角柱形状になるように、かつ、各導光板の発光面が正Ｎ角柱の中心軸線の側に指向するように、Ｎ個の導光板を配置することも可能である。
【００８２】
図１８は第５の実施形態のＬＥＤ照明装置１００の概略的な構成図である。詳細には、図１８（Ａ）は第５の実施形態のＬＥＤ照明装置１００の概略的な斜視図、図１８（Ｂ）は第５の実施形態のＬＥＤ照明装置１００の概略的な平面図である。図１９は図１８（Ｂ）に示す第５の実施形態のＬＥＤ照明装置１００の主要部の拡大図である。
【００８３】
第１の実施形態のＬＥＤ照明装置１００では、図１に示すように、６個の導光板２−１，２−２，２−３，２−４，２−５，２−６が設けられ、１個の正六角柱が形成されているが、第５の実施形態のＬＥＤ照明装置１００では、図１８および図１９に示すように、６個の導光板２−１，２−２，２−３，２−４，２−５，２−６の他に、複数の導光板２−７，２−８，２−９，２−１０，２−１１，２−１２，…が設けられ、７個の正六角柱が形成されている。詳細には、第５の実施形態のＬＥＤ照明装置１００では、７個の正六角柱がハニカム状に（つまり、隙間なく隣接して）配列されている。また、第５の実施形態のＬＥＤ照明装置１００では、導光板２−７の発光面と、導光板２−８の発光面と、導光板２−９の発光面と、導光板２−１０の発光面と、導光板２−１１の発光面と、導光板２−１２の発光面とが正六角柱の中心軸線ＣＬＧ２の側に指向するように、６個の導光板２−７，２−８，２−９，２−１０，２−１１，２−１２が配置されている。
【００８４】
更に、第５の実施形態のＬＥＤ照明装置１００では、図１８に示すように、複数の導光板２−７，２−８，２−９，２−１０，２−１１，２−１２，…が導光板２−１と同様に構成されている。また、反射膜３−１を介して、導光板２−１の発光面２ａ−１（図１（Ｂ）参照）の背面２ｄ−１（図１（Ｂ）参照）と、導光板２−７の発光面の背面とが隣接せしめられている。更に、ＬＥＤ光源１−１の光軸が反射膜３−１に含まれるように、ＬＥＤ光源１−１の光軸が導光板２−１と導光板２−７との間に配置されている。
【００８５】
その結果、第５の実施形態のＬＥＤ照明装置１００では、ＬＥＤ光源１−１の光の一部分が、導光板２−１の入光部２ｂ−１（図１（Ｂ）参照）を介して導光板２−１に入光し、導光板２−１によって導光され、導光板２−１の発光面２ａ−１（図１（Ｂ）参照）を介して導光板２−１から出射する。更に、ＬＥＤ光源１−１の光の他の一部分が、導光板２−７の入光部を介して導光板２−７に入光し、導光板２−７によって導光され、導光板２−７の発光面を介して導光板２−７から出射する。
【００８６】
そのため、第５の実施形態のＬＥＤ照明装置１００によれば、導光板２−１および導光板２−７のそれぞれに対してＬＥＤ光源が設けられる場合よりも、ＬＥＤ光源の数を削減することができる。つまり、第５の実施形態のＬＥＤ照明装置１００によれば、ＬＥＤ光源の数を抑制しつつ、導光板の発光面の数を増加させることができる。
【００８７】
以下、本発明のＬＥＤ照明装置の第６の実施形態について説明する。第６の実施形態のＬＥＤ照明装置１００は、後述する点を除き、上述した第１の実施形態のＬＥＤ照明装置１００とほぼ同様に構成されている。従って、第６の実施形態のＬＥＤ照明装置１００によれば、後述する点を除き、上述した第１の実施形態のＬＥＤ照明装置１００とほぼ同様の効果を奏することができる。
【００８８】
図２０は第６の実施形態のＬＥＤ照明装置１００の概略的な構成図である。詳細には、図２０（Ａ）は第６の実施形態のＬＥＤ照明装置１００の概略的な平面図、図２０（Ｂ）は図２０（Ａ）のＣ−Ｃ線に沿った概略的な鉛直断面図である。図２１は図２０に示す導光板２−１の部品図である。詳細には、図２１（Ａ）は導光板２−１の後側面図、図２１（Ｂ）は導光板２−１の底面図、図２１（Ｃ）は導光板２−１の左側面図、図２１（Ｄ）は導光板２−１の平面図、図２１（Ｅ）は導光板２−１の右側面図、図２１（Ｆ）は導光板２−１の斜視図、図２１（Ｇ）は導光板２−１の前側面図である。
【００８９】
図２２は図２０（Ｂ）に示す鉛直断面内を進む光Ｌ２１，Ｌ２２を説明するための図である。図２３は図２０（Ｂ）に示す鉛直断面内を進む光Ｌ２３を説明するための図である。図２４は図２０（Ｂ）に示す鉛直断面内を進む光Ｌ２４を説明するための図である。図２５は図２０（Ｂ）に示す鉛直断面内を進む光Ｌ２５を説明するための図である。図２６は図２０（Ｂ）に示す鉛直断面内を進む光２５’を説明するための図である。
【００９０】
第１の実施形態のＬＥＤ照明装置１００では、図１〜図４に示すように、概略平板状の導光板２−１の概略長方形の発光面２ａ−１に複数の正六角形の凹状のレンズカット２ａ１ａ−１，２ａ１ｂ−１，２ａ１ｃ−１，２ａ１ｄ−１，２ａ１ｅ−１，２ａ２ａ−１，２ａ２ｂ−１，２ａ２ｃ−１，２ａ２ｄ−１，…（図２（Ｆ）および図３（Ａ）参照）が形成され、それらがハニカム状に（つまり、隙間なく隣接して）配列されているが、第６の実施形態のＬＥＤ照明装置１００では、代わりに、図２０に示すように、概略平板状の導光板２−１の概略長方形の発光面２ａ−１の全体に例えばシボ加工、ブラスト加工などによって微細凹凸が形成されている。
【００９１】
また、第６の実施形態のＬＥＤ照明装置１００では、図２０に示すように、導光板２−２，２−３，２−４，２−５，２−６が、導光板２−１（図２０および図２１参照）と同様に構成されている。
【００９２】
詳細には、第６の実施形態のＬＥＤ照明装置１００では、図２２に示す鉛直断面内において、例えば、ＬＥＤ光源１−１から照射された第１色の光の一部が、導光板２−１の入光部２ｂ−１（図２０（Ｂ）参照）を介して導光板２−１に入光し、導光板２−１によって導光され、導光板２−１の発光面２ａ−１の根元側部分２ａ１−１（図２０（Ｂ）参照）の微細凹凸によって屈折せしめられて導光板２−１から出射し、出射光Ｌ２１となって観察位置ＯＰ１に到達する。その結果、第６の実施形態のＬＥＤ照明装置１００では、観察位置ＯＰ１からＬＥＤ照明装置１００を見た時に、出射光Ｌ２１によって、導光板２−１の発光面２ａ−１の根元側部分２ａ１−１（図２０（Ｂ）参照）が第１色に光って見える。
【００９３】
更に、第６の実施形態のＬＥＤ照明装置１００では、図２２に示す鉛直断面内において、例えば、ＬＥＤ光源１−１から照射された第１色の光の一部が、導光板２−１の入光部２ｂ−１（図２０（Ｂ）参照）を介して導光板２−１に入光し、導光板２−１によって導光され、導光板２−１の発光面２ａ−１の根元側部分２ａ１−１（図２０（Ｂ）参照）の微細凹凸によって屈折せしめられて導光板２−１から出射し、出射光Ｌ２２となって観察位置ＯＰ１に到達する。その結果、第６の実施形態のＬＥＤ照明装置１００では、観察位置ＯＰ１からＬＥＤ照明装置１００を見た時に、出射光Ｌ２２によって、導光板２−１の発光面２ａ−１の根元側部分２ａ１−１（図２０（Ｂ）参照）が第１色に光って見える。
【００９４】
また、第６の実施形態のＬＥＤ照明装置１００では、図２３に示す鉛直断面内において、例えば、ＬＥＤ光源１−２から照射された第２色の光の一部が、導光板２−２の入光部２ｂ−２（図２０（Ｂ）参照）を介して導光板２−２に入光し、導光板２−２によって導光され、導光板２−２の発光面２ａ−２の根元側部分２ａ１−２（図２０（Ｂ）参照）の微細凹凸によって屈折せしめられて導光板２−２から出射し、導光板２−１の発光面２ａ−１の先端側部分２ａ２−１（図２０（Ｂ）参照）の微細凹凸によって反射され、反射光Ｌ２３となって観察位置ＯＰ１に到達する。その結果、第６の実施形態のＬＥＤ照明装置１００では、観察位置ＯＰ１からＬＥＤ照明装置１００を見た時に、反射光Ｌ２３によって、導光板２−１の発光面２ａ−１の先端側部分２ａ２−１（図２０（Ｂ）参照）が第２色に光って見える。
【００９５】
更に、第６の実施形態のＬＥＤ照明装置１００では、図２４に示す鉛直断面内において、例えば、ＬＥＤ光源１−２から照射された第２色の光の一部が、導光板２−２の入光部２ｂ−２（図２０（Ｂ）参照）を介して導光板２−２に入光し、導光板２−２によって導光され、反射膜３−２によって反射され、導光板２−２の発光面２ａ−２の根元側部分２ａ１−２（図２０（Ｂ）参照）と先端側部分２ａ２−２（図２０（Ｂ）参照）との間の中間部分２ａ３−２（図２０（Ｂ）参照）の微細凹凸によって屈折せしめられて導光板２−２から出射し、導光板２−１の発光面２ａ−１の先端側部分２ａ２−１（図２０（Ｂ）参照）の微細凹凸によって反射され、反射光Ｌ２４となって観察位置ＯＰ１に到達する。その結果、第６の実施形態のＬＥＤ照明装置１００では、観察位置ＯＰ１からＬＥＤ照明装置１００を見た時に、反射光Ｌ２４によって、導光板２−１の発光面２ａ−１の先端側部分２ａ２−１（図２０（Ｂ）参照）が第２色に光って見える。
【００９６】
換言すれば、第６の実施形態のＬＥＤ照明装置１００では、図２３および図２４に示すように、導光板２−２の発光面２ａ−２を介して出射したＬＥＤ光源１−２からの第２色の光の一部分（詳細には、光Ｌ２３，Ｌ２４）が、導光板２−１の発光面２ａ−１に到達する。その結果、第６の実施形態のＬＥＤ照明装置１００では、導光板２−２の発光面２ａ−２を介して出射し、導光板２−１の発光面２ａ−１に到達したＬＥＤ光源１−２からの第２色の光Ｌ２３，Ｌ２４によって、導光板２−１の発光面２ａ−１の先端側部分２ａ２−１（図２０（Ｂ）参照）が、第２色に光って見える。
【００９７】
そのため、第６の実施形態のＬＥＤ照明装置１００によれば、第１色の光のみがＬＥＤ光源１−１から導光板２−１の入光部２ｂ−１を介して導光板２−１に入光せしめられるにもかかわらず、導光板２−１の発光面２ａ−１の先端側部分２ａ２−１が、第１色とは異なる色に光って見えるようにすることができる。
【００９８】
また、第６の実施形態のＬＥＤ照明装置１００では、図２５に示す鉛直断面内において、例えば、ＬＥＤ光源１−１から照射された第１色の光の一部が、導光板２−１の入光部２ｂ−１（図２０（Ｂ）参照）を介して導光板２−１に入光し、導光板２−１によって導光され、反射膜３−１によって反射され、導光板２−１の発光面２ａ−１の中間部分２ａ３−１（図２０（Ｂ）参照）の微細凹凸によって屈折せしめられて導光板２−１から出射し、出射光Ｌ２５となって観察位置ＯＰ１に到達する。
【００９９】
更に、第６の実施形態のＬＥＤ照明装置１００では、図２６に示す鉛直断面内において、例えば、ＬＥＤ光源１−２から照射された第２色の光の一部が、導光板２−２の入光部２ｂ−２（図２０（Ｂ）参照）を介して導光板２−２に入光し、導光板２−２によって導光され、導光板２−２の発光面２ａ−２の根元側部分２ａ１−２（図２０（Ｂ）参照）の微細凹凸によって屈折せしめられて導光板２−２から出射し、導光板２−１の発光面２ａ−１の中間部分２ａ３−１（図２０（Ｂ）参照）の微細凹凸によって反射されて反射光Ｌ２５’となり、導光板２−１の発光面２ａ−１の中間部分２ａ３−１（図２０（Ｂ）参照）からの出射光２５（図２５参照）とほぼ同じ軌跡を描きながら観察位置ＯＰ１に到達する。
【０１００】
その結果、第６の実施形態のＬＥＤ照明装置１００では、観察位置ＯＰ１からＬＥＤ照明装置１００を見た時に、出射光Ｌ２５（図２５参照）および反射光Ｌ２５’（図２６参照）によって、導光板２−１の発光面２ａ−１の中間部分２ａ３−１（図２０（Ｂ）参照）が第１色と第２色との混合色に光って見える。
【０１０１】
そのため、第６の実施形態のＬＥＤ照明装置１００によれば、第１色の光のみがＬＥＤ光源１−１から導光板２−１の入光部２ｂ−１を介して導光板２−１に入光せしめられるにもかかわらず、第１色に光って見える根元側部分２ａ１−１と、第１色とは異なる第２色に光って見える先端側部分２ａ２−１と、第１色と第２色との混合色に光って見える中間部分２ａ３−１とを導光板２−１の発光面２ａ−１に形成することができる。
【０１０２】
第７の実施形態では、上述した第１から第６の実施形態を適宜組み合わせることも可能である。
【産業上の利用可能性】
【０１０３】
本発明のＬＥＤ照明装置は、例えば演出用照明装置、車両用灯具、遊戯機器用照明装置などに適用可能である。
【符号の説明】
【０１０４】
１−１，１−２，１−３，１−４，１−５，１−６  ＬＥＤ光源
２−１，２−２，２−３，２−４，２−５，２−６  導光板
２ａ−１，２ａ−２                              発光面
２ａ１−１，２ａ１−２                          根元側部分
２ａ２−１，２ａ２−２                          先端側部分
２ｂ−１，２ｂ−２                              入光部
１００                                          ＬＥＤ照明装置
【図１】
2013125658.tif 000003
【図２】
2013125658.tif 000004
【図３】
2013125658.tif 000005
【図４】
2013125658.tif 000006
【図５】
2013125658.tif 000007
【図６】
2013125658.tif 000008
【図７】
2013125658.tif 000009
【図８】
2013125658.tif 000010
【図９】
2013125658.tif 000011
【図１０】
2013125658.tif 000012
【図１１】
2013125658.tif 000013
【図１２】
2013125658.tif 000014
【図１３】
2013125658.tif 000015
【図１４】
2013125658.tif 000016
【図１５】
2013125658.tif 000017
【図１６】
2013125658.tif 000018
【図１７】
2013125658.tif 000019
【図１８】
2013125658.tif 000020
【図１９】
2013125658.tif 000021
【図２０】
2013125658.tif 000022
【図２１】
2013125658.tif 000023
【図２２】
2013125658.tif 000024
【図２３】
2013125658.tif 000025
【図２４】
2013125658.tif 000026
【図２５】
2013125658.tif 000027
【図２６】
2013125658.tif 000028